(57)【特許請求の範囲】
【請求項１】
無線通信システムにおける端末によって行われる複数の拡張シンボルに対するシンボルタイプを決定する方法において、
ネットワークから複数の一般シンボルに対するシンボルタイプを知らせるスロットフォーマットの情報を受信するステップであって、前記複数の一般シンボルのそれぞれは、一般サイクリックプレフィックス（ＣＰ）を含む、ステップと、
前記複数の拡張シンボルに対する前記シンボルタイプを決定するステップであって、前記複数の拡張シンボルのそれぞれは、拡張ＣＰを含み、前記複数の拡張シンボルのうちの１つの拡張シンボルのシンボルタイプは、前記複数の一般シンボルのうち、時間領域で前記拡張シンボルと重なる２つの一般シンボルに基づいて決定される、ステップと、を含み、
前記複数の一般シンボルに関連する第１の副搬送波間隔は、前記複数の拡張シンボルに関連する第２の副搬送波間隔と同じであり、
特定の時間区間内に並べられた前記複数の一般シンボルに基づいて、前記複数の拡張シンボルは、前記特定の時間区間内に並べられ、
前記２つの一般シンボルのうちの１つの一般シンボルのシンボルタイプがダウンリンクシンボルであることに基づいて、及び前記２つの一般シンボルのうちの残りの一般シンボルのシンボルタイプがアップリンクシンボルであることに基づいて、前記拡張シンボルの前記シンボルタイプは、フレキシブルシンボルとして決定される、方法。
【請求項２】
前記複数の一般シンボルのそれぞれの前記シンボルタイプは、ダウンリンクシンボル、アップリンクシンボル、又はフレキシブルシンボルである、請求項１に記載の方法。
【請求項３】
前記複数の拡張シンボルのそれぞれの前記シンボルタイプは、ダウンリンクシンボル、アップリンクシンボル、又はフレキシブルシンボルである、請求項１に記載の方法。
【請求項４】
前記２つの一般シンボルが、前記アップリンクシンボル、前記ダウンリンクシンボル、又は前記フレキシブルシンボルであることに基づいて、前記端末は、前記シンボルタイプをそれぞれ前記アップリンクシンボル、前記ダウンリンクシンボル、又は前記フレキシブルシンボルとして決定する、請求項１に記載の方法。
【請求項５】
前記２つの一般シンボルが前記フレキシブルシンボルを含むことに基づいて、前記端末は、前記シンボルタイプを前記フレキシブルシンボルとして決定する、請求項１に記載の方法。
【請求項６】
アップリンクに対するＣＰタイプと異なるダウンリンクに対するＣＰタイプに基づいて、前記複数の拡張シンボルに対する前記アップリンク又は前記ダウンリンクに対する前記スロットフォーマットのみが決定される、請求項１に記載の方法。
【請求項７】
前記複数の一般シンボルに対する前記シンボルタイプは、前記複数の一般シンボルに対する複数の事前定義されたシンボルタイプの１つである、請求項１に記載の方法。
【請求項８】
端末は、
トランシーバーと、
少なくとも一つのプロセッサと、
前記少なくとも一つのプロセッサに動作可能なように接続可能であり、指示を格納する少なくとも一つのコンピュータメモリと、を含み、前記指示は、前記少なくとも一つのプロセッサによって実行されるとき、
前記トランシーバーを通じて、ネットワークから複数の一般シンボルに対するシンボルタイプを知らせるスロットフォーマットの情報を受信し、前記複数の一般シンボルのそれぞれは、一般サイクリックプレフィックス（ＣＰ）を含み、
複数の拡張シンボルに対する前記シンボルタイプを決定し、前記複数の拡張シンボルのそれぞれは、拡張ＣＰを含み、前記複数の拡張シンボルのうちの１つの拡張シンボルのシンボルタイプは、前記複数の一般シンボルのうち、時間領域で前記拡張シンボルと重なる２つの一般シンボルに基づいて決定されることを含む動作を行い、
前記複数の一般シンボルに関連する第１の副搬送波間隔は、前記複数の拡張シンボルに関連する第２の副搬送波間隔と同じであり、
特定の時間区間内に並べられた前記複数の一般シンボルに基づいて、前記複数の拡張シンボルは、前記特定の時間区間内に並べられ、
前記２つの一般シンボルのうちの１つの一般シンボルのシンボルタイプがダウンリンクシンボルであることに基づいて、及び前記２つの一般シンボルのうちの残りの一般シンボルのシンボルタイプがアップリンクシンボルであることに基づいて、前記拡張シンボルの前記シンボルタイプは、フレキシブルシンボルとして決定される、端末。
【請求項９】
少なくとも一つのプロセッサによって実行される指示を格納する少なくとも一つのコンピュータ読み取り可能な格納媒体において、前記指示は、
ネットワークから複数の一般シンボルに対するシンボルタイプを知らせるスロットフォーマットの情報を受信し、前記複数の一般シンボルのそれぞれは、一般サイクリックプレフィックス（ＣＰ）を含み、
複数の拡張シンボルに対する前記シンボルタイプを決定し、前記複数の拡張シンボルのそれぞれは、拡張ＣＰを含み、前記複数の拡張シンボルのうちの１つの拡張シンボルのシンボルタイプは、前記複数の一般シンボルのうち、時間領域で前記拡張シンボルと重なる２つの一般シンボルに基づいて決定されることを含む動作を行い、
前記複数の一般シンボルに関連する第１の副搬送波間隔は、前記複数の拡張シンボルに関連する第２の副搬送波間隔と同じであり、
特定の時間区間内に並べられた前記複数の一般シンボルに基づいて、前記複数の拡張シンボルは、前記特定の時間区間内に並べられ、
前記２つの一般シンボルのうちの１つの一般シンボルのシンボルタイプがダウンリンクシンボルであることに基づいて、及び前記２つの一般シンボルのうちの残りの一般シンボルのシンボルタイプがアップリンクシンボルであることに基づいて、前記拡張シンボルの前記シンボルタイプは、フレキシブルシンボルとして決定される、格納媒体。
【発明の詳細な説明】
【技術分野】
【０００１】
本発明は、無線通信に関する。
【背景技術】
【０００２】
より多くの通信機器がより大きな通信容量を利用することになり、これに伴って既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭している。また、多数の機器及びモノを連結し、いつどこでも多様なサービスを提供するｍａｓｓｉｖｅ  ＭＴＣ（ｍａｓｓｉｖｅ  Ｍａｃｈｉｎｅ  Ｔｙｐｅ  Ｃｏｍｍｕｎｉｃａｔｉｏｎｓ）もやはり、次世代の通信で考慮されるべき主要なイシューの一つである。のみならず、信頼度（ｒｅｌｉａｂｉｌｉｔｙ）及び遅延（ｌａｔｅｎｃｙ）に敏感なサービス／端末を考慮した通信システムのデザインが議論されている。このように拡張されたモバイルブロードバンド通信（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代の無線アクセス技術の導入が議論されており、本開示では、便宜上、該当技術（ｔｅｃｈｎｏｌｏｇｙ）をｎｅｗ  ＲＡＴ又はＮＲと呼ぶ。
【発明の概要】
【発明が解決しようとする課題】
【０００３】
本開示の一部具現において、資源方向（例えば、アップリンク、ダウンリンク等）は、シンボル単位で設定され得る。
【０００４】
さらに、ＮＲでは、互いに異なる複数の副搬送波間隔が定義され、よって、一つのシンボルの時間−ベースの長さが副搬送波間隔に応じて異なり得る。
【０００５】
さらに、同じ副搬送波間隔を有するシンボルの長さも、サイクリックプレフィックスの種類に応じて異なり得る。前述した状況を考慮するとき、アップリンク、ダウンリンク、又はフレキシブル（ｆｌｅｘｉｂｌｅ）シンボルを含む資源方向／スロットフォーマットを決定する方法に対する議論は、一般サイクリックプレフィックス又は拡張サイクリックプレフィックスを含むことによって、様々な長さを有するシンボル、及びこのようなシンボルの集合に対応するスロットに対して行われる必要がある。
【課題を解決するための手段】
【０００６】
無線通信においてスロットフォーマットを決定することを可能にする具現（ｉｍｐｌｅｍｅｎｔａｔｉｏｎ）が開示される。
【０００７】
本開示の一般的な一様態は、無線通信システムにおける端末によって行われるスロットフォーマットを決定する方法を開示する。前記方法は、ネットワークから時間区間内に並べられた複数の一般シンボルに対する第１スロットフォーマットを知らせるスロットフォーマットの情報を受信し、複数の一般シンボルのそれぞれは、一般サイクリックプレフィックスを含む。前記方法はまた、前記第１スロットフォーマットを知らせる受信したスロットフォーマットの情報に基づき、前記時間区間内に並べられた複数の拡張シンボルに対する第２スロットフォーマットを決定し、複数の拡張シンボルのそれぞれは、拡張サイクリックプレフィックスを含む。前記様態の別の実施例は、コンピュータシステム、装置、及び一つ以上のコンピュータ格納装置に記録され、それぞれは前記方法の動作を行うように設定されたコンピュータプログラムを含む。
【０００８】
具現は、次の一つ以上の特徴を含み得る。前記第１スロットフォーマットを前記一般シンボルのそれぞれがダウンリンク（ｄｏｗｎｌｉｎｋ）シンボルのタイプ（ｔｙｐｅ）、アップリンク（ｕｐｌｉｎｋ）シンボルのタイプ、又はフレキシブル（ｆｌｅｘｉｂｌｅ）シンボルのタイプであると知らせることを特徴とする方法。
【０００９】
前記第２スロットフォーマットは、前記拡張シンボルのそれぞれがダウンリンクシンボルのタイプ、アップリンクシンボルのタイプ、又はフレキシブルシンボルのタイプであると知らせることを特徴とする方法。
【００１０】
前記第１スロットフォーマットを知らせる受信した前記スロットフォーマットの情報に基づき、前記時間区間内に並べられた複数の拡張シンボルに対する第２スロットフォーマットを決定する段階は、前記複数の拡張シンボルのうち一つの拡張シンボルが前記複数の一般シンボルのうち少なくとも一つの一般シンボルと時間上でオーバーラップされる状態で、前記少なくとも一つの一般シンボルが、ダウンリンクシンボルのタイプ、アップリンクシンボルのタイプ、又はフレキシブルシンボルのタイプであるか否かに基づき、前記一つの拡張シンボルをダウンリンクシンボルのタイプ、アップリンクシンボルのタイプ、又はフレキシブルシンボルのタイプで決定することを含む方法。
【００１１】
前記少なくとも一つの一般シンボルが前記ダウンリンクシンボルのタイプ、前記アップリンクシンボルのタイプ、又は前記フレキシブルシンボルのタイプであるか否かに基づき、前記一つの拡張シンボルが、前記ダウンリンクシンボルのタイプ、前記アップリンクシンボルのタイプ、又は前記フレキシブルシンボルのタイプで決定する段階は、前記少なくとも一つの一般シンボルがいずれも前記アップリンクシンボルのタイプ、前記ダウンリンクシンボルのタイプ、又は前記フレキシブルシンボルのタイプであるかに基づき、前記少なくとも一つの一般シンボルがオーバーラップされる一つの拡張シンボルを前記少なくとも一つの一般シンボルに応じて、それぞれ前記アップリンクシンボルのタイプ、前記ダウンリンクシンボルのタイプ、又は前記フレキシブルシンボルのタイプで決定することを含む方法。
【００１２】
前記少なくとも一つの一般シンボルが前記ダウンリンクシンボルのタイプ、前記アップリンクシンボルのタイプ、又は前記フレキシブルシンボルのタイプであるか否かに基づき、前記一つの拡張シンボルが前記ダウンリンクシンボルのタイプ、前記アップリンクシンボルのタイプ、又は前記フレキシブルシンボルのタイプで決定する段階は、前記フレキシブルシンボルのタイプを含む前記少なくとも一つの一般シンボルに基づき、前記少なくとも一つの一般シンボルとオーバーラップされる前記一つの拡張シンボルを前記フレキシブルシンボルのタイプで決定することを含む方法。
【００１３】
前記少なくとも一つの一般シンボルが前記ダウンリンクシンボルのタイプ、前記アップリンクシンボルのタイプ、又は前記フレキシブルシンボルのタイプであるか否かに基づき、前記一つの拡張シンボルが前記ダウンリンクシンボルのタイプ、前記アップリンクシンボルのタイプ、又は前記フレキシブルシンボルのタイプで決定する段階は、前記アップリンクシンボルのタイプ及び前記ダウンリンクシンボルのタイプを含む前記少なくとも一つの一般シンボルに基づき、前記少なくとも一つの一般シンボルとオーバーラップされる前記一つの拡張シンボルを前記フレキシブルシンボルのタイプで決定することを含む方法。
【００１４】
ダウンリンクに対するＣＰタイプ（ｔｙｐｅ）とアップリンクに対するＣＰタイプとが互いに異なると、前記拡張ＣＰを有する前記アップリンク又は前記ダウンリンクに対する前記第２スロットフォーマットのみを決定することを特徴とする方法。
【００１５】
前記複数の一般シンボルに関する基準（ｒｅｆｅｒｅｎｃｅ）の副搬送波間隔（ｓｕｂｃａｒｒｉｅｒ  ｓｐａｃｉｎｇ：ＳＣＳ）と前記複数の拡張シンボルに関する基準のＳＣＳは同じであることを特徴とする方法。
【００１６】
前記複数の一般シンボルに関する基準のＳＣＳは、前記複数の拡張シンボルに関する基準のＳＣＳよりも小さく、前記第１スロットフォーマットを知らせる前記受信したスロットフォーマットの情報に基づき、前記複数の拡張シンボルに対する前記第２スロットフォーマットを決定する段階は、一般シンボルの持続時間（ｄｕｒａｔｉｏｎ）内に含まれる少なくとも一つの拡張シンボルに対して、前記少なくとも一つの拡張シンボルを前記含む一般シンボルと同じシンボルのタイプで決定することを特徴とする方法。
【００１７】
前記第１スロットフォーマットは、複数の第１スロットフォーマットのうち一つであることを特徴とする方法。
【００１８】
説明した技術の具現は、ハードウェア、方法又はプロセス、又はコンピュータ接続可能な媒体上のコンピュータソフトウェアを含み得る。
【００１９】
本開示のまた別の一般的な様態は、トランシーバー（ｔｒａｎｓｃｅｉｖｅｒ）を含む端末を含む。前記端末はまた、少なくとも一つのプロセッサ及び前記少なくとも一つのプロセッサに動作可能なように接続可能であり、命令（ｉｎｓｔｒｕｃｔｉｏｎ）を格納する少なくとも一つのコンピュータメモリを含み、前記命令は、前記少なくとも一つのプロセッサによって実行されるとき、ネットワークから時間区間内に並べられた複数の一般シンボルに対する第１スロットフォーマットを知らせるスロットフォーマットの情報を受信し、前記複数の一般シンボルは、一般サイクリックプレフィックス（ｃｙｃｌｉｃ  ｐｒｅｆｉｘ：ＣＰ）を含むことを含む動作を行う。前記動作はまた、前記第１スロットフォーマットを知らせる受信した前記スロットフォーマットの情報に基づき、前記時間区間内に並べられた複数の拡張シンボルに対する第２スロットフォーマットを決定し、前記複数の拡張シンボルのそれぞれは、拡張ＣＰを含む動作を含む。
【００２０】
前記様態の別の実施例は、それぞれ方法の動作を行うように設定された相応するコンピュータシステム、装置、及び一つ以上のコンピュータ格納装置に記録されたコンピュータプログラムを含む。
【００２１】
本開示のまた別の一般的な様態は、少なくとも一つのプロセッサによって実行される指示（ｉｎｓｔｒｕｃｔｉｏｎ）を格納する少なくとも一つのコンピュータ読み取り可能な格納媒体において、前記指示は、ネットワークから時間区間内に並べられた複数の一般シンボルに対する第１スロットフォーマットを知らせるスロットフォーマットの情報を受信し、前記複数の一般シンボルは、一般サイクリックプレフィックス（ｃｙｃｌｉｃ  ｐｒｅｆｉｘ：ＣＰ）を含むことを含む動作を行う。前記動作はまた、前記第１スロットフォーマットを知らせる受信した前記スロットフォーマットの情報に基づき、前記時間区間内に並べられた複数の拡張シンボルに対する第２スロットフォーマットを決定し、前記複数の拡張シンボルのそれぞれは、拡張ＣＰを含む動作を含む。
【００２２】
前記様態の別の実施例は、それぞれ方法の動作を行うように設定された相応するコンピュータシステム、装置、及び一つ以上のコンピュータ格納装置に記録されたコンピュータプログラムを含む。
【００２３】
本出願を介して説明した特徴の全て又は一部は、一つ以上の非一時的機械−読み取り可能な格納媒体に格納され、一つ以上のプロセシング装置で実行可能な指示を含むコンピュータプログラムの製品として具現され得る。
【００２４】
本開示内容の主題に対する一つ以上の具現の細部事項は、添付図及び以下の明細書で説明される。主題の異なる特徴、様相、及び長所は、明細書、図、及び請求項から明らかになる。
【発明の効果】
【００２５】
本開示の一部具現によると、向上した柔軟性を提供することができるスケジューリングを可能にするスロット及びシンボルに対する資源方向／スロットフォーマットを設定する方法が提供される。
【図面の簡単な説明】
【００２６】
【図１】本開示の一部具現による無線通信システムの一例を示す。
【図２】ユーザープレーン（ｕｓｅｒ  ｐｌａｎｅ）に対する無線プロトコル構造（ｗｉｒｅｌｅｓｓ  ｐｒｏｔｏｃｏｌ  ａｒｃｈｉｔｅｃｔｕｒｅ）の一例を示した図表である。
【図３】コントロールプレーン（ｃｏｎｔｒｏｌ  ｐｌａｎｅ）に対する無線プロトコル構造の一例を示した図表である。
【図４】本開示の一部具現による次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造の一例を示す。
【図５】ＮＧ−ＲＡＮと５ＧＣ（５Ｇ  Ｃｏｒｅ）間で具現できる機能的分割の一例を示す。
【図６】本開示の一部具現によるフレーム構造の一例を示す。
【図７】本開示の一部具現によるＣＯＲＥＳＥＴの一例を示す。
【図８】一部の通信システムにおいて具現できる制御領域と、一部の通信システムにおいて具現できるＣＯＲＥＳＥＴ間の比較の一例を示した図表である。
【図９】本開示の一部具現によるフレーム構造の一例を示す。
【図１０】ＴＸＲＵ及び物理的アンテナの観点からハイブリッドビームフォーミング（ｈｙｂｒｉｄ  ｂｅａｍｆｏｒｍｉｎｇ）の一例を示した図表である。
【図１１】ダウンリンク（ｄｏｗｎｌｉｎｋ：ＤＬ）送信手続において同期化信号及びシステム情報に対するビームスイーピング動作の一例を示す。
【図１２】一般サイクリックプレフィックス（ｃｙｃｌｉｃ  ｐｒｅｆｉｘ：ＣＰ）を有するスロットと拡張ＣＰを有するスロットの一例を示す。
【図１３】本開示の一部具現による端末のスロットフォーマット決定方法の一例を示したフローチャートである。
【図１４】本開示の一部具現による端末のスロットフォーマット決定方法の一例を示す。
【図１５】ＮＣＰのリファレンスのＳＣＳよりも、ＥＣＰのリファレンスのＳＣＳが２倍大きい場合に対するスロット構造の一例を示す。
【図１６】ＮＣＰのリファレンスのＳＣＳがＥＣＰのリファレンスのＳＣＳよりも２倍大きい場合に対するスロット構造の一例を示す。
【図１７】本開示の一部具現による端末のスロットフォーマット決定方法の一例を示したフローチャートである。
【図１８】本開示の一部具現による二つの周期を結合した半静的Ｄ／Ｕの割り当てのＲＲＣ設定の一例を示す。
【図１９】本開示の一部具現による送信装置及び受信装置の構成要素の一例を示したブロック図である。
【図２０】本開示の一部具現による送信装置内の信号処理モジュール構造の一例を示す。
【図２１】本開示の一部具現による送信装置内の信号処理モジュール構造の別の例を示す。
【図２２】本開示の一部具現による無線通信装置の一例を示す。
【発明を実施するための形態】
【００２７】
以下、無線通信システムにおける端末のスロットフォーマットの決定を可能にする具現が開示される。
【００２８】
本開示の一部具現によると、資源方向（例えば、アップリンク、ダウンリンク等）は、時間領域でシンボル当たり設定され得る。周波数領域で、複数の副搬送波間隔（ｓｕｂｃａｒｒｉｅｒ  ｓｐａｃｉｎｇ：ＳＣＳ）が具現され得る。一部シナリオにおいて、一つのシンボルの時間−ベースの長さは、副搬送波間隔に応じて異なり得る。例えば、相対的に大きい副搬送波間隔は、一般に、相対的に短いシンボルの持続時間（ｄｕｒａｔｉｏｎ）に対応し、相対的に小さい副搬送波間隔は、一般に、相対的に長いシンボルの持続時間に対応し得る。しかし、同じ副搬送波間隔を有するシンボルに対して、シンボルの持続時間はシンボル内に含まれるサイクリックプレフィックス（ｃｙｃｌｉｃ  ｐｒｅｆｉｘ：ＣＰ）の種類に応じて異なり得る。特に、シンボルは、一般ＣＰ（ｎｏｒｍａｌ  ＣＰ：ＮＣＰ）又は拡張ＣＰ（ｅｘｔｅｎｄｅｄ  ＣＰ：ＥＣＰ）を含み得る。
【００２９】
一部シナリオにおいて、端末は、ＮＣＰに基づく資源方向（例えば、アップリンク、ダウンリンク等）に対する設定情報を受信し得るが、前記端末は、実際にＥＣＰに設定され得る。このようなシナリオにおいて、ＮＣＰシンボルの持続時間がＥＣＰシンボルの持続時間と異なると問題が発生する。
【００３０】
以下で、端末がＥＣＰシンボルに対する資源方向（例えば、アップリンク、ダウンリンク等）をＮＣＰシンボルに対する資源方向の設定情報に基づいて決定できる具現について開示する。
【００３１】
一部シナリオにおいて、無線通信システムで多様なサービスを支援するために、柔軟性はデザインの重要な考慮要素である。特徴的に、スケジューリング単位をスロットと名付けるとき、任意のスロットが物理ダウンリンク共有チャネル（ｐｈｙｓｉｃａｌ  ｄｏｗｎｌｉｎｋ  ｓｈａｒｅｄ  ｃｈａｎｎｅｌ：ＰＤＳＣＨ）送信スロット又は物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）送信スロットに動的に変更され得る構造が支援できる。ここで、ＰＤＳＣＨはダウンリンクデータを送信するための物理チャネルであり、ＰＵＳＣＨはアップリンクデータを送信するための物理チャネルである。以下で、このような構造は動的ＤＬ／ＵＬの設定（ｄｙｎａｍｉｃ  ＤＬ／ＵＬ  ｃｏｎｆｉｇｕｒａｔｉｏｎ）と呼ばれ得る。動的ＤＬ／ＵＬの設定がＮＲシステムで支援されると、ダウンリンクスロットでスケジューリングされたＰＤＳＣＨ及び／又はチャネル状態情報（ｃｈａｎｎｅｌ  ｓｔａｔｅ  ｉｎｆｏｒｍａｔｉｏｎ：ＣＳＩ）のようなアップリンク制御情報に対するＨＡＲＱ−ＡＣＫ（ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ）情報を送信する物理アップリンク制御チャネル（ｐｈｙｓｉｃａｌ  ｕｐｌｉｎｋ  ｃｏｎｔｒｏｌ  ｃｈａｎｎｅｌ：ＰＵＣＣＨ）は、アップリンクの送信が可能な領域で送信され得る。
【００３２】
図１は、本開示の一部具現による無線通信システムの一例を示す。一部シナリオにおいて、無線通信システムは、一つ以上の技術的標準（ｓｔａｎｄａｒｄ）と互換し得る。例えば、一部シナリオにおいて、図１の無線通信システムは、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）又はＬＴＥ（ｌｏｎｇ  ｔｅｒｍ  ｅｖｏｌｕｔｉｏｎ）／ＬＴＥ−Ａシステムと呼ばれ得る。
【００３３】
前記例において、Ｅ−ＵＴＲＡＮは端末（１０：Ｕｓｅｒ  Ｅｑｕｉｐｍｅｎｔ、ＵＥ）にコントロールプレーン（ｃｏｎｔｒｏｌ  ｐｌａｎｅ）とユーザープレーン（ｕｓｅｒ  ｐｌａｎｅ）を提供する基地局（２０：Ｂａｓｅ  Ｓｔａｔｉｏｎ、ＢＳ）を含む。端末１０は、固定されるか移動性を有し得、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等の異なる用語と呼ばれ得る。基地局２０は、端末１０と通信する固定局（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等の異なる用語と呼ばれ得る。
【００３４】
基地局２０は、Ｘ２インターフェースのようなインターフェースを介して互いに連結され得る。基地局２０はまた、Ｓ１インターフェースのようなインターフェースを介してＥＰＣ（Ｅｖｏｌｖｅｄ  Ｐａｃｋｅｔ  Ｃｏｒｅ、３０）と連結され得る。例えば、一部具現において、基地局２０は、Ｓ１−ＭＭＥインターフェースのようなインターフェースを介してＭＭＥ（Ｍｏｂｉｌｉｔｙ  Ｍａｎａｇｅｍｅｎｔ  Ｅｎｔｉｔｙ）と連結されてもよく、Ｓ１−Ｕインターフェースのようなまた別のインターフェースを介してＳ−ＧＷ（Ｓｅｒｖｉｎｇ  Ｇａｔｅｗａｙ）と連結されてもよい。
【００３５】
一部具現において、ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は、端末の移動性管理に主に使用される。Ｓ−ＧＷは、Ｅ−ＵＴＲＡＮを終端点として有するゲートウェイであり、Ｐ−ＧＷは、ＰＤＮを終端点として有するゲートウェイである。
【００３６】
無線インターフェースプロトコルは、端末と基地局間で具現され得る。端末とネットワークとの間の無線インターフェースプロトコル（Ｒａｄｉｏ  Ｉｎｔｅｒｆａｃｅ  Ｐｒｏｔｏｃｏｌ）の層は、例えば、開放型システム間相互接続（Ｏｐｅｎ  Ｓｙｓｔｅｍ  Ｉｎｔｅｒｃｏｎｎｅｃｔｉｏｎ：ＯＳＩ）基準モデルの下位３つの層に基づき、Ｌ１（第１層）、Ｌ２（第２層）、Ｌ３（第３層）に区分できる。このうち、第１層に属する物理層は、物理チャネル（Ｐｈｙｓｉｃａｌ  Ｃｈａｎｎｅｌ）を用いた情報伝送サービス（Ｉｎｆｏｒｍａｔｉｏｎ  Ｔｒａｎｓｆｅｒ  Ｓｅｒｖｉｃｅ）を提供し、第３層に位置するＲＲＣ（Ｒａｄｉｏ  Ｒｅｓｏｕｒｃｅ  Ｃｏｎｔｒｏｌ）層は、端末とネットワーク間で無線資源を制御する役割を行う。一部具現において、ＲＲＣ層は端末と基地局間のＲＲＣメッセージを交換する。
【００３７】
図２は、ユーザープレーン（ｕｓｅｒ  ｐｌａｎｅ）に対する無線プロトコル構造（ｗｉｒｅｌｅｓｓ  ｐｒｏｔｏｃｏｌ  ａｒｃｈｉｔｅｃｔｕｒｅ）の一例を示した図表である。図３は、コントロールプレーン（ｃｏｎｔｒｏｌ  ｐｌａｎｅ）に対する無線プロトコル構造の一例を示した図表である。ユーザープレーンは、ユーザーデータの送信のためのプロトコルスタック（ｐｒｏｔｏｃｏｌ  ｓｔａｃｋ）であり、コントロールプレーンは、制御信号の送信のためのプロトコルスタックである。
【００３８】
図２及び３を参照すると、物理層（ＰＨＹ（ｐｈｙｓｉｃａｌ）ｌａｙｅｒ）は、物理チャネル（ｐｈｙｓｉｃａｌ  ｃｈａｎｎｅｌ）を用いて上位層に情報伝送サービス（ｉｎｆｏｒｍａｔｉｏｎ  ｔｒａｎｓｆｅｒ  ｓｅｒｖｉｃｅ）を提供する。物理層は、上位層であるＭＡＣ（Ｍｅｄｉｕｍ  Ａｃｃｅｓｓ  Ｃｏｎｔｒｏｌ）層とはトランスポートチャネル（ｔｒａｎｓｐｏｒｔ  ｃｈａｎｎｅｌ）を介して連結されている。トランスポートチャネルを介してＭＡＣ層と物理層との間へデータが移動する。トランスポートチャネルは、無線インターフェースを介してデータがどのようにどんな特徴で送信されるかに応じて分類され得る。
【００３９】
互いに異なる物理層の間、例えば、送信機と受信機の物理層の間は、物理チャネルを介してデータが移動する。前記物理チャネルは、適切な変調技術、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調され得、時間と周波数を無線資源として活用する。
【００４０】
ＭＡＣ層の機能は、例えば、論理チャネルとトランスポートチャネル間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ層は、論理チャネルを介してＲＬＣ（Ｒａｄｉｏ  Ｌｉｎｋ  Ｃｏｎｔｒｏｌ）層にサービスを提供する。
【００４１】
ＲＬＣ層の機能は、例えば、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。一部シナリオにおいて、無線ベアラー（Ｒａｄｉｏ  Ｂｅａｒｅｒ：ＲＢ）が要求する多様なＱｏＳ（Ｑｕａｌｉｔｙ  ｏｆ  Ｓｅｒｖｉｃｅ）を保障するために、ＲＬＣ層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。このうち、一部具現において、ＡＭ  ＲＬＣはＡＲＱ（ａｕｔｏｍａｔｉｃ  ｒｅｐｅａｔ  ｒｅｑｕｅｓｔ）を介してエラー訂正を提供する。
【００４２】
一部具現によると、ＲＲＣ（Ｒａｄｉｏ  Ｒｅｓｏｕｒｃｅ  Ｃｏｎｔｒｏｌ）層はコントロールプレーンでのみ定義される。ＲＲＣ層は、例えば、無線ベアラーの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）に関して、論理チャネル、トランスポートチャネル及び物理チャネルの制御を担当する。ＲＢは、端末とネットワーク間のデータ伝達のために、第１層（ＰＨＹ層）及び第２層（ＭＡＣ層、ＲＬＣ層、ＰＤＣＰ層）によって提供される論理的経路である。
【００４３】
ユーザープレーンでのＰＤＣＰ（Ｐａｃｋｅｔ  Ｄａｔａ  Ｃｏｎｖｅｒｇｅｎｃｅ  Ｐｒｏｔｏｃｏｌ）層の機能は、例えば、ユーザーデータの伝達、ヘッダ圧縮（ｈｅａｄｅｒ  ｃｏｍｐｒｅｓｓｉｏｎ）及び暗号化（ｃｉｐｈｅｒｉｎｇ）を含む。コントロールプレーンでのＰＤＣＰ（Ｐａｃｋｅｔ  Ｄａｔａ  Ｃｏｎｖｅｒｇｅｎｃｅ  Ｐｒｏｔｏｃｏｌ）層の機能は、例えば、コントロールプレーンデータの伝達及び暗号化／整合性保護（ｉｎｔｅｇｒｉｔｙ  ｐｒｏｔｅｃｔｉｏｎ）を含む。
【００４４】
ＲＢが設定されるプロセスは、特定のサービスを提供するために、無線プロトコル層及びチャネルの特性を規定し、それぞれの具体的なパラメータ及び動作方法を設定することを含み得る。ＲＢは、例えば、ＳＲＢ（Ｓｉｇｎａｌｉｎｇ  ＲＢ）又はＤＲＢ（Ｄａｔａ  ＲＢ）であってもよい。ＳＲＢは、コントロールプレーンでＲＲＳメッセージを送信する通路として使用され、ＤＲＢは、ユーザープレーンでユーザーデータを送信する通路として使用される。
【００４５】
端末のＲＲＣ層とＥ−ＵＴＲＡＮのＲＲＣ層との間にＲＲＣ連結（ＲＲＣ  Ｃｏｎｎｅｃｔｉｏｎ）が確立されると、端末は、ＲＲＣ連結（ＲＲＣ  ｃｏｎｎｅｃｔｅｄ）の状態にあることになると呼ばれ得、そうでない場合、ＲＲＣアイドル（ＲＲＣ  ｉｄｌｅ）の状態にあることになると呼ばれ得る。
【００４６】
ネットワークから端末へデータを送信するダウンリンクトランスポートチャネルとしては、例えば、システム情報を送信するＢＣＨ（Ｂｒｏａｄｃａｓｔ  Ｃｈａｎｎｅｌ）と、それ以外にユーザートラフィックや制御メッセージを送信するダウンリンクＳＣＨ（Ｓｈａｒｅｄ  Ｃｈａｎｎｅｌ）を含む。ダウンリンクマルチキャスト又はブロードキャストサービスのトラフィック又は制御メッセージの場合、ダウンリンクＳＣＨを介して送信されてもよく、又は別途のダウンリンクＭＣＨ（Ｍｕｌｔｉｃａｓｔ  Ｃｈａｎｎｅｌ）を介して送信されてもよい。一部具現において、端末からネットワークへデータを送信するアップリンクトランスポートチャネルとしては、例えば、初期の制御メッセージを送信するＲＡＣＨ（Ｒａｎｄｏｍ  Ａｃｃｅｓｓ  Ｃｈａｎｎｅｌ）と、それ以外にユーザートラフィックや制御メッセージを送信するアップリンクＳＣＨ（Ｓｈａｒｅｄ  Ｃｈａｎｎｅｌ）を含む。
【００４７】
トランスポートチャネルの上位で具現され、トランスポートチャネルにマッピングされる論理チャネル（Ｌｏｇｉｃａｌ  Ｃｈａｎｎｅｌ）としては、例えば、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）を含む。  
【００４８】
物理チャネル（Ｐｈｙｓｉｃａｌ  Ｃｈａｎｎｅｌ）は、時間領域で多数個のシンボル（例えば、ＯＦＤＭシンボル）と周波数領域で多数個の副搬送波（Ｓｕｂ−ｃａｒｒｉｅｒ）で構成される。一つのサブフレーム（Ｓｕｂ−ｆｒａｍｅ）は、時間領域で複数のＯＦＤＭシンボル（Ｓｙｍｂｏｌ）で構成される。資源ブロックは、通信システムにおける資源割り当ての単位であって、時間領域で複数のＯＦＤＭシンボルと周波数領域で複数の副搬送波（ｓｕｂ−ｃａｒｒｉｅｒ）で構成される。一部具現において、各サブフレームに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）例えば、Ｌ１／Ｌ２制御チャネルのために該当サブフレームの特定のＯＦＤＭシンボル（例えば、第１番目のＯＦＤＭシンボル）の特定の副搬送波が割り当てられ得る。ＴＴＩ（Ｔｒａｎｓｍｉｓｓｉｏｎ  Ｔｉｍｅ  Ｉｎｔｅｒｖａｌ）は、一つのサブフレーム送信の時間に対する単位である。
【００４９】
図４は、本開示の一部具現による次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造の一例を示す。
【００５０】
図４の例を参照すると、ＮＧ−ＲＡＮは、端末にユーザープレーン及びコントロールプレーンのプロトコル終端（ｔｅｒｍｉｎａｔｉｏｎ）を提供するｇＮＢ及び／又はｅＮＢを含み得る。図４の例では、ｇＮＢのみを含む場合を例示するが、具現はこれに制限されない。ｇＮＢ及びｅＮＢは、相互間にＸｎインターフェースのようなインターフェースで連結されている。ｇＮＢ及びｅＮＢは、５世代コアネットワーク（５Ｇ  Ｃｏｒｅ  Ｎｅｔｗｏｒｋ：５ＧＣ）とＮＧインターフェースのようなインターフェースを介して連結されている。一部具現において、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースのようなインターフェースを介して連結され、ＵＰＦ（ｕｓｅｒ  ｐｌａｎｅ  ｆｕｎｃｔｉｏｎ）とはＮＧ−Ｕインターフェースのようなまた別のインターフェースを介して連結される。
【００５１】
図５は、ＮＧ−ＲＡＮと５ＧＣ（５Ｇ  Ｃｏｒｅ）間で具現できる機能的分割の一例を示す。
【００５２】
一部具現によると、ｇＮＢは、インターセル間の無線資源管理（Ｉｎｔｅｒ  Ｃｅｌｌ  ＲＲＭ）、無線ベアラー管理（ＲＢ  ｃｏｎｔｒｏｌ）、連結移動性制御（Ｃｏｎｎｅｃｔｉｏｎ  Ｍｏｂｉｌｉｔｙ  Ｃｏｎｔｒｏｌ）、無線許可制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ  ＆  Ｐｒｏｖｉｓｉｏｎ）、動的資源割り当て（ｄｙｎａｍｉｃ  ｒｅｓｏｕｒｃｅ  ａｌｌｏｃａｔｉｏｎ）等の機能を提供することができる。ＡＭＦは、ＮＡＳ保安、アイドル状態の移動性処理等の機能を提供することができる。ＵＰＦは、移動性アンカーリング（Ｍｏｂｉｌｉｔｙ  Ａｎｃｈｏｒｉｎｇ）、ＰＤＵ処理等の機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレスの割り当て、ＰＤＵセッション制御等の機能を提供することができる。
【００５３】
図６は、本開示の一部具現によるフレーム構造の一例を示す。例えば、図６のフレーム構造は、ＮＲと互換する具現で用いられ得る。
【００５４】
図６の例を参照すると、フレームは１０ｍｓ（ｍｉｌｌｉｓｅｃｏｎｄ）で構成され得、１ｍｓで構成されたサブフレーム１０個を含み得る。
【００５５】
サブフレーム内には副搬送波間隔（ｓｕｂｃａｒｒｉｅｒ  ｓｐａｃｉｎｇ）に応じて、一つ又は複数のスロット（ｓｌｏｔ）が含まれ得る。
【００５６】
次の表１は、副搬送波間隔の設定（ｓｕｂｃａｒｒｉｅｒ  ｓｐａｃｉｎｇ  ｃｏｎｆｉｇｕｒａｔｉｏｎ）μの一例を表す。
【００５７】
【表１】
0006912592.tif 000002
【００５８】
次の表２は、副搬送波間隔の設定（ｓｕｂｃａｒｒｉｅｒ  ｓｐａｃｉｎｇ  ｃｏｎｆｉｇｕｒａｔｉｏｎ）μに応じて、フレーム内スロットの個数（Ｎｆｒａｍｅμｓｌｏｔ）、サブフレーム内スロットの個数（Ｎｓｕｂｆｒａｍｅμｓｌｏｔ）、スロット内シンボルの個数（Ｎｓｌｏｔｓｙｍｂ）等の一例を表す。
【００５９】
【表２】
0006912592.tif 000003
【００６０】
図６では、副搬送波間隔の例μ＝０、１、２を示す。
【００６１】
ＰＤＣＣＨ（ｐｈｙｓｉｃａｌ  ｄｏｗｎｌｉｎｋ  ｃｏｎｔｒｏｌ  ｃｈａｎｎｅｌ）は、次の表３の例のように、一つ又はそれ以上のＣＣＥ（ｃｏｎｔｒｏｌ  ｃｈａｎｎｅｌ  ｅｌｅｍｅｎｔ）で構成され得る。
【００６２】
【表３】
0006912592.tif 000004
【００６３】
前記例のように、ＰＤＣＣＨは、１、２、４、８又は１６個のＣＣＥで構成される資源を介して送信され得る。ここで、ＣＣＥは、６個のＲＥＧ（ｒｅｓｏｕｒｃｅ  ｅｌｅｍｅｎｔ  ｇｒｏｕｐ）で構成され、一つのＲＥＧは、周波数領域で一つの資源ブロック、時間領域で一つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成される。
【００６４】
一部具現において、制御資源集合（ｃｏｎｔｒｏｌ  ｒｅｓｏｕｒｃｅ  ｓｅｔ：ＣＯＲＥＳＥＴ）という資源単位を導入し得る。端末は、ＣＯＲＥＳＥＴでＰＤＣＣＨを受信し得る。
【００６５】
図７は、本開示の一部具現によるＣＯＲＥＳＥＴの一例を示す。
【００６６】
図７を参照すると、ＣＯＲＥＳＥＴは周波数領域でＮＣＯＲＥＳＥＴＲＢ個の資源ブロックで構成され、時間領域でＮＣＯＲＥＳＥＴｓｙｍｂ∈｛１、２、３｝個のシンボルで構成され得る。ＮＣＯＲＥＳＥＴＲＢ、ＮＣＯＲＥＳＥＴｓｙｍｂは、例えば、上位層の信号を介して基地局によって提供され得る。図７に示したように、ＣＯＲＥＳＥＴ内には複数のＣＣＥ（又はＲＥＧ）が含まれ得る。
【００６７】
端末は、ＣＯＲＥＳＥＴ内において、１、２、４、８又は１６個のＣＣＥを単位としてＰＤＣＣＨの検出を試み得る。ＰＤＣＣＨの検出を試み得る一つ又は複数個のＣＣＥをＰＤＣＣＨ候補といえる。
【００６８】
端末は、複数のＣＯＲＥＳＥＴの設定を受けることがある。
【００６９】
図８は、一部の通信システムにおいて具現できる制御領域と、一部の通信システムにおいて具現できるＣＯＲＥＳＥＴ間の比較の一例を示した図表である。
【００７０】
図８の例を参照すると、一部の無線通信システム（例えば、ＬＴＥ／ＬＴＥ−Ａと互換可能なシステム）での制御領域８００は、基地局が使用するシステム帯域全体にわたって構成された。従って、このようなシステムで、狭い帯域のみを支援する一部端末（例えば、ｅＭＴＣ／ＮＢ−ＩｏＴ端末）を除いた全ての端末は、基地局が送信する制御情報をちゃんと受信／デコーディングするためには、前記基地局のシステム帯域全体で無線信号を受信することができなければならなかった。
【００７１】
これに対して、一部の通信システム（例えば、ＮＲと互換可能なシステム）では、前述したＣＯＲＥＳＥＴが具現され得る。図８の例で、ＣＯＲＥＳＥＴ８０１、８０２、８０３は、端末が受信すべき制御情報のための無線資源である。ＣＯＲＥＳＥＴ８０１、８０２、８０３のそれぞれは、システム帯域全体を使用する代わりに、システム帯域全体の一部のみを使用することができる。基地局は、各端末に特定のＣＯＲＥＳＥＴを割り当てることができ、割り当てたＣＯＲＥＳＥＴを介して制御情報を送信することができる。例えば、図７において、第１のＣＯＲＥＳＥＴ８０１は端末１に割り当て、第２のＣＯＲＥＳＥＴ８０２は第２端末に割り当て、第３のＣＯＲＥＳＥＴ８０３は端末３に割り当てることができる。このように、端末は、システム帯域全体を必ずしも受信しなくても、基地局の制御情報を受信することができる。
【００７２】
本開示の一部具現において、ＣＯＲＥＳＥＴは、（ｉ）端末の特定的制御情報を送信するための端末の特定的ＣＯＲＥＳＥＴと、（ｉｉ）全ての端末に共通の制御情報を送信するための共通的なＣＯＲＥＳＥＴを含むように具現され得る。
【００７３】
一部シナリオにおいて、高い信頼性（ｈｉｇｈ  ｒｅｌｉａｂｉｌｉｔｙ）を要求するアプリケーション（ａｐｐｌｉｃａｔｉｏｎ）に対して無線通信システムが具現され得る。このような状況で、ダウンリンク制御チャネル（例えば、ｐｈｙｓｉｃａｌ  ｄｏｗｎｌｉｎｋ  ｃｏｎｔｒｏｌ  ｃｈａｎｎｅｌ：ＰＤＣＣＨ）を介して送信されるＤＣＩ（ｄｏｗｎｌｉｎｋ  ｃｏｎｔｒｏｌ  ｉｎｆｏｒｍａｔｉｏｎ）に対する目標のＢＬＥＲ（ｂｌｏｃｋ  ｅｒｒｏｒ  ｒａｔｅ）は、従来技術より顕著に低くなることがある。このように高い信頼性を要求する要件（ｒｅｑｕｉｒｅｍｅｎｔ）を満たすための方法の一例としては、ＤＣＩに含まれる内容（ｃｏｎｔｅｎｔｓ）の量を減らすか、及び／又はＤＣＩの送信時に使用する資源の量を増加させることができる。このとき、資源は、時間領域での資源、周波数領域での資源、コード領域での資源、空間領域での資源のうち少なくとも一つを含んでもよい。
【００７４】
本開示の一部具現において、次の技術／特徴が適用され得る。このような技術／特徴は、ＮＲと互換してもよい。
【００７５】
＜自己完結型サブフレーム構造（Ｓｅｌｆ−ｃｏｎｔａｉｎｅｄ  ｓｕｂｆｒａｍｅ  ｓｔｒｕｃｔｕｒｅ）＞
【００７６】
図９は、本開示の一部具現によるフレーム構造の一例を示す。このようなフレーム構造は、例えば、新たな無線アクセス技術と互換してもよい。
【００７７】
ＮＲでは、図９のように、一つのＴＴＩ内に、制御チャネルとデータチャネルが時分割多重化（Ｔｉｍｅ  Ｄｉｖｉｓｉｏｎ  Ｍｕｌｔｉｐｌｅｘｉｎｇ：ＴＤＭ）される構造がフレーム構造（ｆｒａｍｅ  ｓｔｒｕｃｔｕｒｅ）として具現され得る。このようなフレーム構造の具現は、一部シナリオにおいて、レイテンシ（ｌａｔｅｎｃｙ）を減少させ得る。
【００７８】
図９の例において、斜線領域はダウンリンク制御（ｄｏｗｎｌｉｎｋ  ｃｏｎｔｒｏｌ）領域を示し、黒色部分はアップリンク制御（ｕｐｌｉｎｋ  ｃｏｎｔｒｏｌ）領域を示す。表示のない領域は、ダウンリンクデータ（ｄｏｗｎｌｉｎｋ  ｄａｔａ；ＤＬ  ｄａｔａ）の送信のために使用されてもよく、アップリンクデータ（ｕｐｌｉｎｋ  ｄａｔａ；ＵＬ  ｄａｔａ）の送信のために使用されてもよい。このような構造の特徴は、一つのサブフレーム（ｓｕｂｆｒａｍｅ）内でダウンリンク（ＤＬ）の送信とアップリンク（ｕｐｌｉｎｋ；ＵＬ）の送信が順次に進み、サブフレーム（ｓｕｂｆｒａｍｅ）内でＤＬデータを送り、ＵＬ  ＡＣＫ／ＮＡＣＫ（Ａｃｋｎｏｗｌｅｄｇｅｍｅｎｔ／Ｎｏｔ−ａｃｋｎｏｗｌｅｄｇｅｍｅｎｔ）も受けることができる。結果として、一部シナリオにおいて、データ送信のエラーの発生からデータの再送信までの時間区間（ｔｉｍｅ  ｐｅｒｉｏｄ）が減少することがあり、このため、データ伝達のレイテンシ（ｌａｔｅｎｃｙ）を減少させることがある。
【００７９】
このようなデータ及び制御領域がＴＤＭされたサブフレーム構造（ｄａｔａ  ａｎｄ  ｃｏｎｔｒｏｌ  ＴＤＭｅｄ  ｓｕｂｆｒａｍｅ  ｓｔｒｕｃｔｕｒｅ）で基地局と端末が送信モードから受信モードへの切り替え過程又は受信モードから送信モードへの切り替え過程のためのタイムギャップ（ｔｉｍｅ  ｇａｐ）が具現され得る。このため、自己完結型サブフレーム構造においてＤＬからＵＬへ切り替えられる時点の一部ＯＦＤＭシンボルが保護区間（ｇｕａｒｄ  ｐｅｒｉｏｄ：ＧＰ）に設定され得る。
【００８０】
＜アナログビームフォーミング＃１（Ａｎａｌｏｇ  ｂｅａｍｆｏｒｍｉｎｇ＃１）＞
【００８１】
一部具現において、ミリ波（Ｍｉｌｌｉｍｅｔｅｒ  Ｗａｖｅ：ｍｍＷ）では波長が短くなり、同じ面積に多数個のアンテナ要素（ｅｌｅｍｅｎｔ）の設置が可能になる。例えば、３０ＧＨｚ帯域における波長は１ｃｍであって、５ ｂｙ ５ｃｍのパネル（ｐａｎｅｌ）に０．５波長（ｌａｍｂｄａ）の間隔で二次元（ｄｉｍｅｎｓｉｏｎ）配列の形態で計１００個のアンテナ要素（ｅｌｅｍｅｎｔ）の設置が可能である。従って、ｍｍＷでは多数個のアンテナ要素（ｅｌｅｍｅｎｔ）を使用し、ビームフォーミング（ｂｅａｍｆｏｒｍｉｎｇ：ＢＦ）の利得を高めてカバレッジを増加させたり、スループット（ｔｈｒｏｕｇｈｐｕｔ）を高めようとする。
【００８２】
この場合、アンテナ要素（ｅｌｅｍｅｎｔ）別に送信パワー及び位相調節が可能なように、トランシーバーユニット（Ｔｒａｎｓｃｅｉｖｅｒ  Ｕｎｉｔ：ＴＸＲＵ）を有すると、周波数資源別に独立のビームフォーミング（ｂｅａｍｆｏｒｍｉｎｇ）が可能である。しかし、１００個余りのアンテナ要素（ｅｌｅｍｅｎｔ）に全てＴＸＲＵを設置するには、価格面において実効性が低いという問題を有することになる。従って、一部具現は、一つのＴＸＲＵに多数個のアンテナ要素（ｅｌｅｍｅｎｔ）をマッピング（ｍａｐｐｉｎｇ）し、アナログ位相シフタ（ａｎａｌｏｇ  ｐｈａｓｅ  ｓｈｉｆｔｅｒ）でビーム（ｂｅａｍ）の方向を調節する技術が利用されることができる。このようなアナログビームフォーミング（ａｎａｌｏｇ  ｂｅａｍｆｏｒｍｉｎｇ）方式は、全帯域において一つのビーム（ｂｅａｍ）方向のみを作ることができ、周波数選択的ビームフォーミング（ｂｅａｍｆｏｒｍｉｎｇ）を行うことができないという短所を有する。
【００８３】
一部シナリオにおいて、デジタルビームフォーミング（Ｄｉｇｉｔａｌ  ＢＦ）とアナログビームフォーミング（ａｎａｌｏｇ  ＢＦ）の中間形態で、Ｑ個のアンテナ要素（ｅｌｅｍｅｎｔ）よりも少ない個数であるＢ個のＴＸＲＵを有するハイブリッドビームフォーミング（ｈｙｂｒｉｄ  ＢＦ）が具現され得る。この場合、Ｂ個のＴＸＲＵとＱ個のアンテナ要素（ｅｌｅｍｅｎｔ）の連結方式に応じて差はあるが、同時に送信できるビームの方向はＢ個以下に制限されることになる。
【００８４】
＜アナログビームフォーミング＃２（Ａｎａｌｏｇ  ｂｅａｍｆｏｒｍｉｎｇ＃２）＞
【００８５】
多数のアンテナが具現されるシナリオにおいて、デジタルビームフォーミングとアナログビームフォーミングとを結合したハイブリッドビームフォーミング技法が利用され得る。このとき、アナログビームフォーミング（又はＲＦビームフォーミング）は、ＲＦ端でプリコーディング（Ｐｒｅｃｏｄｉｎｇ）（又はコンバイニング（Ｃｏｍｂｉｎｉｎｇ））を行い、このため、ＲＦチェーンの数とＤ／Ａ（又はＡ／Ｄ）コンバータの数を減らしながらも、デジタルビームフォーミングに近接する性能を出すことができるという長所がある。便宜上、前記ハイブリッドビームフォーミングの構造は、Ｎ個のＴＸＲＵとＭ個の物理的アンテナで表現され得る。そうすると、送信端で送信するＬ個のデータ層（ｄａｔａ  ｌａｙｅｒ）に対するデジタルビームフォーミングは、Ｎ  ｂｙ  Ｌの行列で表現され得、以降変換されたＮ個のデジタル信号（ｄｉｇｉｔａｌ  ｓｉｇｎａｌ）はＴＸＲＵを経てアナログ信号（ａｎａｌｏｇ  ｓｉｇｎａｌ）に変換された後、Ｍ  ｂｙ  Ｎの行列で表現されるアナログビームフォーミングが適用される。
【００８６】
図１０は、ＴＸＲＵ及び物理的アンテナの観点から、ハイブリッドビームフォーミング（ｈｙｂｒｉｄ  ｂｅａｍｆｏｒｍｉｎｇ）の一例を示した図表である。
【００８７】
図１０の例において、デジタルビーム（ｄｉｇｉｔａｌ  ｂｅａｍ）の個数はＬ個であり、アナログビーム（ａｎａｌｏｇ  ｂｅａｍ）の個数はＮ個である。さらに、一部シナリオ（例えば、ＮＲと互換可能なシステム）では、基地局がアナログビームフォーミングをシンボル単位に変更できるように設計することによって、システムは特定地域に位置した端末に、より効率的なビームフォーミングを支援することができる。さらに、特定のＮ個のＴＸＲＵとＭ個のＲＦアンテナを一つのアンテナパネル（ｐａｎｅｌ）で定義するとき、互いに独立のハイブリッドビームフォーミングが適用可能な複数のアンテナパネルが具現され得る。
【００８８】
前記のように基地局が複数のアナログビームを活用する場合、端末別に信号の受信に有利なアナログビームが異なり得るので、少なくとも同期化信号（ｓｙｎｃｈｒｏｎｉｚａｔｉｏｎ  ｓｉｇｎａｌ）、システム情報（ｓｙｓｔｅｍ  ｉｎｆｏｒｍａｔｉｏｎ）、ページング（ｐａｇｉｎｇ）等に対しては、特定のサブフレームで基地局が適用する複数のアナログビームをシンボル別に変えて、全ての端末が受信機会を有することができるようにするビームスイーピング（ｂｅａｍ  ｓｗｅｅｐｉｎｇ）動作が具現され得る。
【００８９】
図１１は、ダウンリンク（ｄｏｗｎｌｉｎｋ：ＤＬ）送信手続において同期化信号及びシステム情報に対するビームスイーピング動作の一例を示す。
【００９０】
図１１の例において、ＮＲシステムのシステム情報がブロードキャスティング（Ｂｒｏａｄｃａｓｔｉｎｇ）方式で送信される物理的資源（又は物理チャネル）をｘＰＢＣＨ（ｐｈｙｓｉｃａｌ  ｂｒｏａｄｃａｓｔ  ｃｈａｎｎｅｌ）と名付けた。このとき、一つのシンボル内で互いに異なるアンテナパネルに属するアナログビームは同時に送信されてもよく、アナログビーム別のチャネルを測定するために（特定のアンテナパネルに対応する）単一アナログビームが適用されて送信される参照信号（ｒｅｆｅｒｅｎｃｅ  ｓｉｇｎａｌ：ＲＳ）であるビーム参照信号（Ｂｅａｍ  ＲＳ：ＢＲＳ）を導入する案が具現され得る。前記ＢＲＳは、複数のアンテナポートに対して定義されてもよく、ＢＲＳの各アンテナポートは、単一アナログビームに対応してもよい。一部具現において、ＢＲＳとは異なり、同期化信号（Ｓｙｎｃｈｒｏｎｉｚａｔｉｏｎ  ｓｉｇｎａｌ）又はｘＰＢＣＨは、任意の端末がよく受信できるようにアナログビームグループ（ａｎａｌｏｇ  ｂｅａｍ  ｇｒｏｕｐ）内の全てのアナログビームが適用されて送信されてもよい。
【００９１】
一部具現において、スロットフォーマット及び／又はスロットフォーマットの決定に対して、次の規則／内容が適用され得る。後述する規則／内容は、端末に設定されたサービングセルの集合に含まれたサービングセルに適用され得る。
【００９２】
端末がパラメータＳｌｏｔＦｏｒｍａｔＩｎｄｉｃａｔｏｒで上位層によって設定された場合、前記端末は、ｓｆｉ−ＲＮＴＩによってＳＦＩ−ＲＮＴＩを提供され、ＤＣＩフォーマット２＿０のペイロードの大きさがｄｃｉ−ＰａｙｌｏａｄＳｉｚｅによって提供される。
【００９３】
前記端末はまた、ＣＣＥ集合レベルがＬＳＦＩ（Ｌ＿ＳＦＩ）のＣＣＥであるＤＣＩフォーマット２＿０に対するＭＬ＿ＳＦＩｐ、ｓＰＤＣＣＨの候補をモニタリングするための検索空間集合ｓ、及び対応するＣＯＲＥＳＥＴ ｐに対する設定を有する一つ以上のサービングセルに提供される。前記ＭＬ＿ＳＦＩｐ、ｓＰＤＣＣＨ  の候補は、ＣＯＲＥＳＥＴ ｐの検索空間集合ｓに対するＣＣＥ集合レベルＬＳＦＩに対する第１番目のＭＬ＿ＳＦＩｐ、ｓＰＤＣＣＨの候補である。
【００９４】
サービングセルの集合内のそれぞれのサービングセルに対して、前記端末は次のように設定され得る。
【００９５】
−  ｓｅｒｖｉｎｇＣｅｌｌＩｄによるサービングセルの識別子（ｉｄｅｎｔｉｔｙ）。
【００９６】
−  ｐｏｓｉｔｉｏｎＩｎＤＣＩによるＤＣＩフォーマット２＿０のＳＦＩ−インデックスフィールドの位置。
【００９７】
−  ｓｌｏｔＦｏｒｍａｔＣｏｍｂｉｎａｔｉｏｎｓによるスロットフォーマットの組み合わせの集合。ここで、スロットフォーマットの組み合わせの集合内のそれぞれのスロットフォーマットの集合は、それぞれのｓｌｏｔＦｏｒｍａｔｓにより指示される、前記スロットフォーマットの組み合わせに対する一つ以上のスロットフォーマット、及びｓｌｏｔＦｏｒｍａｔＣｏｍｂｉｎａｔｉｏｎＩｄにより提供されるＤＣＩフォーマット２＿０内に対応するＳＦＩ−インデックスフィールド値に対する、ｓｌｏｔＦｏｒｍａｔｓにより提供されるスロットフォーマットの組み合わせに対するマッピング（ｍａｐｐｉｎｇ）を含む。
【００９８】
−  対をなしていない（ｕｎｐａｉｒｅｄ）スペクトル動作に対して、ｓｕｂｃａｒｒｉｅｒＳｐａｃｉｎｇによるリファレンスのＳＣＳ設定μＳＦＩ及び付加的なアップリンクの搬送波が前記サービングセルに設定されると、前記付加的なアップリンクの搬送波に対するｓｕｂｃａｒｒｉｅｒＳｐａｃｉｎｇ２によるリファレンスのＳＣＳ設定μＳＦＩ， ＳＵＬ。
【００９９】
−  対をなしている（ｐａｉｒｅｄ）スペクトル動作に対して、ｓｕｂｃａｒｒｉｅｒＳｐａｃｉｎｇによるダウンリンクの帯域幅部分（ｂａｎｄｗｉｄｔｈ  ｐａｒｔ：ＢＷＰ）に対するリファレンスのＳＣＳ設定μＳＦＩ、ＤＬ及びｓｕｂｃａｒｒｉｅｒＳｐａｃｉｎｇ２によるアップリンクのＢＷＰに対するリファレンスのＳＣＳ設定μＳＦＩ、ＵＬ。
【０１００】
ＤＣＩフォーマット２＿０内ＳＦＩ−インデックスフィールド値は、前記端末がＤＣＩフォーマット２＿０を検出するスロットから始めて、それぞれのダウンリンクのＢＷＰ又はそれぞれのアップリンクのＢＷＰに対する複数のスロット内のそれぞれのスロットに対するスロットフォーマットを端末に指示する。前記ＳＦＩ−インデックスフィールドは、
0006912592.tif 000005
のビットを含み、ここで、ｍａｘＳＦＩｉｎｄｅｘは、対応するｓｌｏｔＦｏｒｍａｔＣｏｍｂｉｎａｔｉｏｎＩｄによって提供される値の最大値である。スロットフォーマットは、以下の表４で提供される対応するフォーマットインデックスによって識別される。ここで、Ｄは、ダウンリンクシンボル、Ｕは、アップリンクシンボル、Ｆは、フレキシブル（ｆｌｅｘｉｂｌｅ）シンボルの表示である。
【０１０１】
ｍｏｎｉｔｏｒｉｎｇＳｌｏｔＰｅｒｉｏｄｉｃｉｔｙＡｎｄＯｆｆｓｅｔによって検索空間集合Ｓに対して端末に提供されるＤＣＩフォーマット２＿０に対するＰＤＣＣＨのモニタリングの周期がスロットフォーマットの組み合わせの持続時間（ｄｕｒａｔｉｏｎ）よりも小さい場合、前記端末は対応するＳＦＩ−インデックスフィールド値によってＤＣＩフォーマット２＿０に対するＰＤＣＣＨのモニタリングの機会を得て、前記端末がスロットに対するスロットフォーマットを指示する一つを超えるＤＣＩフォーマット２＿０を検出すると、前記端末は前記一つを超えるＤＣＩフォーマット２＿０のそれぞれが前記スロットに対して同じフォーマットを指示することを期待する。
【０１０２】
端末はサービングセルよりもさらに大きいＳＣＳを使用する第２番目のサービングセル上でＤＣＩフォーマット２＿０に対するＰＤＣＣＨをモニタリングするように設定されることを期待しない。
【０１０３】
表４は、一般ＣＰ（ｃｙｃｌｉｃ  ｐｒｅｆｉｘ）に対するスロットフォーマットの一例を示したものである。
【０１０４】
【表４−１】
0006912592.tif 000006
【０１０５】
【表４−２】
0006912592.tif 000007
【０１０６】
サービングセル上の端末に対する対をなしていないスペクトル動作に対して、前記端末は、ｓｕｂｃａｒｒｉｅｒＳｐａｃｉｎｇによりＤＣＩフォーマット２＿０内ＳＦＩ−インデックスフィールド値によって指示されるスロットフォーマットの組み合わせ内のそれぞれのスロットフォーマットに対するリファレンスのＳＣＳ設定μＳＦＩ（μ＿ＳＦＩ）が提供される。前記端末は、リファレンスのＳＣＳ設定μＳＦＩ及びＳＣＳ設定μを有する有効な（ａｃｔｉｖｅ）ダウンリンクのＢＷＰ又は有効なアップリンクのＢＷＰに対して、μ≧μＳＦＩを期待する。ＤＣＩフォーマット２＿０内ＳＦＩ−インデックスフィールド値によって指示されるスロットフォーマットの組み合わせ内のそれぞれのスロットフォーマットには、前記有効なダウンリンクのＢＷＰ又は前記有効なアップリンクのＢＷＰ内２（μ−μ＿ＳＦＩ）個の連続的なスロットが適用可能であり、ここで、第１番目のスロットは、リファレンスのＳＣＳ設定μＳＦＩに対する第１番目のスロットと同時に始め、前記リファレンスのＳＣＳ設定μＳＦＩに対するそれぞれのダウンリンクシンボル又はフレキシブル（ｆｌｅｘｉｂｌｅ）シンボル又はアップリンクシンボルは、ＳＣＳ設定μに対する２（μ−μ＿ＳＦＩ）個の連続的なダウンリンクシンボル又はフレキシブルシンボル又はアップリンクシンボルに対応する。
【０１０７】
サービングセル上の端末に対する対をなすスペクトル動作に対して、ＤＣＩフォーマット２＿０内のＳＦＩ−インデックスフィールドは、サービングセルのリファレンスダウンリンクのＢＷＰに対するスロットフォーマットの組み合わせ、及びリファレンスアップリンクのＢＷＰに対するスロットフォーマットの組み合わせを含むスロットフォーマットの組み合わせを指示する。前記端末は、ｓｕｂｃａｒｒｉｅｒＳｐａｃｉｎｇによってサービングセルのリファレンスダウンリンクのＢＷＰに対するＤＣＩフォーマット２＿０内のＳＦＩ−インデックスフィールド値によって指示されるスロットフォーマットの組み合わせに対するリファレンスのＳＣＳ設定μＳＦＩ、ＤＬ（μ＿ＳＦＩ、ＤＬ）が提供される。前記端末は、ｓｕｂｃａｒｒｉｅｒＳｐａｃｉｎｇ２によってサービングセルのリファレンスアップリンクのＢＷＰに対するＤＣＩフォーマット２＿０内ＳＦＩ−インデックスフィールド値によって指示されるスロットフォーマットの組み合わせに対するリファレンスのＳＣＳ設定μＳＦＩ、ＵＬ（μ＿ＳＦＩ、ＵＬ）が提供される。もし、μＳＦＩ、ＤＬ≧μＳＦＩ、ＵＬであり、ｓｌｏｔＦｏｒｍａｔｓの値によって指示されるそれぞれの２（μ＿ＳＦＩ、ＤＬ−μ＿ＳＦＩ、ＵＬ）＋１値に対して、ここで、ｓｌｏｔｆｏｒｍａｔｓの値はｓｌｏｔＦｏｒｍａｔＣｏｍｂｉｎａｔｉｏｎ内ｓｌｏｔＦｏｒｍａｔＣｏｍｂｉｎａｔｉｏｎＩｄの値によって決定され、ｓｌｏｔＦｏｒｍａｔＣｏｍｂｉｎａｔｉｏｎＩｄはＤＣＩフォーマット２＿０内ＳＦＩ−インデックスフィールド値の値によって設定され、スロットフォーマットの組み合わせに対する第１番目の２（μ＿ＳＦＩ、ＤＬ−μ＿ＳＦＩ、ＵＬ）値は、リファレンスダウンリンクのＢＷＰに適用可能であり、その次の値は、リファレンスアップリンクのＢＷＰに適用可能である。もし、μＳＦＩ、ＤＬ＜μＳＦＩ、ＵＬであり、ｓｌｏｔＦｏｒｍａｔｓの値によって指示されるそれぞれの２（μ＿ＳＦＩ、ＵＬ−μ＿ＳＦＩ、ＤＬ）＋１値に対して、スロットフォーマットの組み合わせに対する第１番目の値はリファレンスダウンリンクのＢＷＰに適用可能であり、その次の２（μ＿ＳＦＩ、ＵＬ−μ＿ＳＦＩ、ＤＬ）値はリファレンスアップリンクのＢＷＰに適用可能である。
【０１０８】
端末は、ＳＣＳ設定μＤＬを有する有効なダウンリンクのＢＷＰに対して、μＤＬ≧μＳＦＩ、ＤＬの関係であるように、リファレンスのＳＣＳ設定μＳＦＩ、ＤＬが提供される。リファレンスダウンリンクのＢＷＰに対するＤＣＩフォーマット２＿０内のＳＦＩ−インデックスフィールド値によって指示されるスロットフォーマットの組み合わせに対する各スロットフォーマットは、ｓｌｏｔＦｏｒｍａｔＣｏｍｂｉｎａｔｉｏｎ内ｓｌｏｔＦｏｒｍａｔｓの値にマッピングされるｓｌｏｔＦｏｒｍａｔＣｏｍｂｉｎａｔｉｏｎＩｄの値を指示することによって、有効なダウンリンクのＢＷＰに対して２（μ＿ＤＬ−μ＿ＳＦＩ、ＤＬ）個の連続的なスロットに適用可能であり、ここで、第１番目のスロットはリファレンスダウンリンクのＢＷＰ内の第１番目のスロットと同時に始め、リファレンスのＳＣＳ設定μＳＦＩ、ＤＬに対するそれぞれのダウンリンクシンボル又はフレキシブルシンボルは、ＳＣＳ設定μＤＬに対する２（μ＿ＤＬ−μ＿ＳＦＩ、ＤＬ）個の連続的なダウンリンクシンボル又はフレキシブルシンボルに対応する。リファレンスアップリンクのＢＷＰに対するスロットフォーマットの組み合わせに対する各スロットフォーマットは、有効なアップリンクのＢＷＰに対する２（μ＿ＵＬ−μ＿ＳＦＩ、ＵＬ）個の連続的なスロットに適用可能であり、ここで、第１番目のスロットはリファレンスアップリンクのＢＷＰ内第１番目のスロットと同時に始め、リファレンスのＳＣＳ設定μＳＦＩ、ＵＬに対するそれぞれのアップリンクシンボル又はフレキシブルシンボルは、ＳＣＳ設定μＵＬに対する２（μ＿ＵＬ−μ＿ＳＦＩ、ＵＬ）個の連続的なアップリンクシンボル又はフレキシブルシンボルに対応する。
【０１０９】
サービングセル上の端末に対する第２番目のアップリンク搬送波と対をなしていないスペクトル動作に対して、ＤＣＩフォーマット２＿０内のＳＦＩ−インデックスフィールド値は、サービングセルのリファレンスの第１番目のアップリンク搬送波に対するスロットフォーマットの組み合わせ、及びサービングセルのリファレンスの第２番目のアップリンク搬送波に対するスロットフォーマットの組み合わせを含むスロットフォーマットの組み合わせを指示する。前記端末は、ｓｕｂｃａｒｒｉｅｒＳｐａｃｉｎｇによってサービングセルのリファレンスの第１番目のアップリンク搬送波に対してＤＣＩフォーマット２＿０内のＳＦＩ−インデックスフィールドによって指示されるスロットフォーマットの組み合わせに対するリファレンスのＳＣＳ設定μＳＦＩが提供される。前記端末は、ｓｕｂｃａｒｒｉｅｒＳｐａｃｉｎｇ２によってサービングセルのリファレンスの第２番目のアップリンク搬送波に対してＤＣＩフォーマット２＿０内のＳＦＩ−インデックスフィールド値によって指示されるスロットフォーマットの組み合わせに対するリファレンスのＳＣＳ設定μＳＦＩ、ＳＵＬが提供される。ｓｌｏｔＦｏｒｍａｔｓのそれぞれの２（μ＿ＳＦＩ−μ＿ＳＦＩ、ＳＵＬ）＋１値に対して、スロットフォーマットの組み合わせに対する第１番目の２（μ＿ＳＦＩ−μ＿ＳＦＩ、ＳＵＬ）値は、リファレンスの第１番目のアップリンク搬送波に適用可能であり、その次の値はリファレンスの第２番目のアップリンク搬送波に適用可能である。
【０１１０】
端末はＳＣＳ設定μＳＵＬを有する第２番目のアップリンク搬送波内有効なアップリンクのＢＷＰに対して、μＳＵＬ≧μＳＦＩ、ＳＵＬの関係であるように、リファレンスのＳＣＳ設定μＳＦＩ、ＳＵＬが提供されるように期待する。リファレンスの第１番目のアップリンク搬送波に対して、ＤＣＩフォーマット２＿０内ＳＦＩ−インデックスフィールドによって指示されるスロットフォーマットの組み合わせに対する各スロットフォーマットは、第１番目のアップリンク搬送波内有効なダウンリンクのＢＷＰ及び有効なアップリンクのＢＷＰに対して２（μ−μ＿ＳＦＩ）個の連続的なスロットに適用可能であり、ここで、第１番目のスロットは、リファレンスの第１番目のアップリンク搬送波内の第１番目のスロットと同時に始める。リファレンスの第２番目のアップリンク搬送波に対して、スロットフォーマットの組み合わせに対する各スロットフォーマットは、第２番目のアップリンク搬送波内有効なアップリンクのＢＷＰに対して、２（μ＿ＳＵＬ−μ＿ＳＦＩ、ＳＵＬ）個の連続的なスロットに適用可能であり、ここで、第１番目のスロットは、リファレンスの第２番目のアップリンク搬送波内第１番目のスロットと同時に始める。
【０１１１】
もし、サービングセル内のＢＷＰが拡張ＣＰ及びμ＝２に設定されると、端末は、μＳＦＩ＝０、μＳＦＩ＝１、又はμＳＦＩ＝２を期待する。拡張ＣＰを有するスロットに対するフォーマットは、一般ＣＰを有するスロットに対するフォーマットから決定される。端末は重なる（ｏｖｅｒｌａｐｐｉｎｇ）一般ＣＰシンボルがそれぞれダウンリンク／アップリンク／フレキシブルシンボルであると、拡張ＣＰシンボルがダウンリンク／アップリンク／フレキシブルシンボルであると決定する。端末は、重なる一般ＣＰシンボルのうち一つがフレキシブルであると、拡張ＣＰシンボルがフレキシブルシンボルであると決定する。端末は、重なる一般ＣＰシンボルの対がダウンリンク及びアップリンクシンボルを含むと、拡張ＣＰシンボルがフレキシブルシンボルであると決定する。
【０１１２】
リファレンスのＳＣＳ設定μＳＦＩ又はμＳＦＩ、ＤＬ又はμＳＦＩ、ＵＬ又はμＳＦＩ、ＳＵＬは、ＦＲ１に対して０又は１又は２であり、ＦＲ２に対して２又は３である。ここで、ＦＲ１は６ＧＨｚ以下の周波数帯域を意味してもよく、ＦＲ２はミリ波（ｍｍ−Ｗａｖｅ）を意味してもよい。
【０１１３】
スロットのシンボルの集合に対して、端末はスロットのシンボルの集合をアップリンクへ指示するＳＦＩ−インデックスフィールド値を有するＤＣＩフォーマット２＿０を感知することを期待せず、端末にスロットのシンボルの集合内でＰＤＳＣＨ又はＣＳＩ−ＲＳを受信することを指示するＤＣＩフォーマット１＿０、ＤＣＩフォーマット１＿１、又はＤＣＩフォーマット０＿１を感知することを期待しない。
【０１１４】
スロットのシンボルの集合に対して、端末はスロットのシンボルの集合をダウンリンクへ指示するＳＦＩ−インデックスフィールド値を有するＤＣＩフォーマット２＿０を感知することを期待せず、端末にスロットのシンボルの集合内でＰＵＳＣＨ、ＰＵＣＣＨ、ＰＲＡＣＨ、又はＳＲＳを送信するように指示するＤＣＩフォーマット０＿０、ＤＣＩフォーマット０＿１、ＤＣＩフォーマット１＿０、ＤＣＩフォーマット１＿１、ＤＣＩフォーマット２＿３、又はＲＡＲアップリンクグラント（ＵＬ  ｇｒａｎｔ）を感知することを期待しない。
【０１１５】
ＴＤＤ−ＵＬ−ＤＬ−ＣｏｎｆｉｇｕｒａｔｉｏｎＣｏｍｍｏｎ、又はＴＤＤ−ＵＬ−ＤＬ−ＣｏｎｆｉｇＤｅｄｉｃａｔｅｄによってダウンリンク／アップリンクへ指示されたスロットのシンボルの集合に対して、端末はスロットのシンボルの集合がそれぞれアップリンク／ダウンリンク又はフレキシブルであると指示するＳＦＩ−インデックスフィールド値を有するＤＣＩフォーマット２＿０を感知することを期待しない。
【０１１６】
ＳＳ／ＰＢＣＨブロックの受信に対してＳｙｓｔｅｍＩｎｆｏｒｍａｔｉｏｎＢｌｏｃｋＴｙｐｅ１内ｓｓｂ−ＰｏｓｉｔｉｏｎｓＩｎＢｕｒｓｔ又はＳｅｒｖｉｎｇＣｅｌｌＣｏｎｆｉｇＣｏｍｍｏｎ内ｓｓｂ−ＰｏｓｉｔｉｏｎｓＩｎＢｕｒｓｔによって端末に指示されたスロットのシンボルの集合に対して、端末はスロットのシンボルの集合がアップリンクであると指示するＳＦＩ−インデックスフィールド値を有するＤＣＩフォーマット２＿０を感知することを期待しない。
【０１１７】
ＰＲＡＣＨの送信に対してＲＡＣＨ−ＣｏｎｆｉｇＣｏｍｍｏｎ内ｐｒａｃｈ−ＣｏｎｆｉｇｕｒａｔｉｏｎＩｎｄｅｘによって端末に指示されたスロットのシンボルの集合に対して、端末はスロットのシンボルの集合がダウンリンクであると指示するＳＦＩ−インデックスフィールド値を有するＤＣＩフォーマット２＿０を感知することを期待しない。
【０１１８】
Ｔｙｐｅ０−ＰＤＣＣＨ  ＣＳＳ集合に対するＣＯＲＥＳＥＴに対してＭＩＢ内ｐｄｃｃｈ−ＣｏｎｆｉｇＳＩＢ１によって端末に指示されたスロットのシンボルの集合に対して、端末はスロットのシンボルの集合をアップリンクであると指示するＳＦＩ−インデックスフィールド値を有するＤＣＩフォーマット２＿０を感知することを期待しない。
【０１１９】
ＴＤＤ−ＵＬ−ＤＬ−ＣｏｎｆｉｇｕｒａｔｉｏｎＣｏｍｍｏｎ及びＴＤＤ−ＵＬ−ＤＬ−ＣｏｎｆｉｇＤｅｄｉｃａｔｅｄによってフレキシブルであると端末に指示されたスロットのシンボルの集合に対して、又はＴＤＤ−ＵＬ−ＤＬ−ＣｏｎｆｉｇｕｒａｔｉｏｎＣｏｍｍｏｎ及びＴＤＤ−ＵＬ−ＤＬ−ＣｏｎｆｉｇＤｅｄｉｃａｔｅｄが端末に提供されない場合、また、もし端末が２５５ではないスロットフォーマット値を用いてスロットに対するフォーマットを提供するＤＣＩフォーマット２＿０を感知する場合において、
【０１２０】
−  もし、シンボルの集合の一つ以上のシンボルがＰＤＣＣＨのモニタリングのために端末に設定されたＣＯＲＥＳＥＴ内シンボルであれば、端末はただＤＣＩフォーマット２＿０内ＳＦＩ−インデックスフィールド値が一つ以上のシンボルがダウンリンクシンボルであると指示する場合にのみＣＯＲＥＳＥＴ内ＰＤＣＣＨを受信する。
【０１２１】
−  もし、ＤＣＩフォーマット２＿０内ＳＦＩ−インデックスフィールド値がスロットのシンボルの集合がフレキシブルであると指示し、端末がスロット内シンボルの集合内でＰＤＳＣＨ又はＣＳＩ−ＲＳを受信するように端末に指示するＤＣＩフォーマット１＿０、ＤＣＩフォーマット１＿１、又はＤＣＩフォーマット０＿１を感知すると、端末はスロット内シンボルの集合内でＰＤＳＣＨ又はＣＳＩ−ＲＳを受信する。
【０１２２】
−  もし、ＤＣＩフォーマット２＿０内ＳＦＩ−インデックスフィールド値がスロットのシンボルの集合がフレキシブルであると指示し、端末がスロットのシンボルの集合内でＰＵＳＣＨ、ＰＵＣＣＨ、ＰＲＡＣＨ、又はＳＲＳを送信するように端末に指示するＤＣＩフォーマット０＿０、ＤＣＩフォーマット０＿１、  ＤＣＩフォーマット１＿０、ＤＣＩフォーマット１＿１、ＤＣＩフォーマット２＿３又はＲＡＲアップリンクグラントを感知すると、端末はスロットのシンボルの集合内でＰＵＳＣＨ、ＰＵＣＣＨ、ＰＲＡＣＨ、又はＳＲＳを送信する。
【０１２３】
−  もし、ＤＣＩフォーマット２＿０内ＳＦＩ−インデックスフィールド値がスロットのシンボルの集合がフレキシブルであると指示し、端末がＰＤＳＣＨ又はＣＳＩ−ＲＳを送信するように端末に指示するＤＣＩフォーマット１＿０、ＤＣＩフォーマット１＿１、又はＤＣＩフォーマット０＿１を感知しないか、又は端末がスロットのシンボルの集合内でＰＵＳＣＨ、ＰＵＣＣＨ、ＰＲＡＣＨ、又はＳＲＳを送信するように端末に指示するＤＣＩフォーマット０＿０、ＤＣＩフォーマット０＿１、ＤＣＩフォーマット１＿０、ＤＣＩフォーマット１＿１、ＤＣＩフォーマット２＿３、又はＲＡＲアップリンクグラントを感知しないと、端末はスロットのシンボルの集合内で送信又は受信しない。
【０１２４】
−  もし、端末が上位層によってスロットのシンボルの集合内でＰＤＳＣＨ又はＣＳＩ−ＲＳを受信するように設定された場合、端末はただＤＣＩフォーマット２＿０内ＳＦＩ−インデックスフィールド値がスロットのシンボルの集合がダウンリンクであると指示した場合にのみスロットのシンボルの集合内でＰＤＳＣＨ又はＣＳＩ−ＲＳを受信する。
【０１２５】
−  もし、端末が上位層によってスロットのシンボルの集合内でＰＵＣＣＨ、又はＰＵＳＣＨ、又はＰＲＡＣＨを送信するように設定された場合、前記端末はただＤＣＩフォーマット２＿０内ＳＦＩ−インデックスフィールド値がスロットのシンボルの集合がアップリンクであると指示した場合にのみＰＵＣＣＨ、又はＰＵＳＣＨ、又はＰＲＡＣＨを前記スロットで送信する。
【０１２６】
−  もし、スロットのシンボルの集合内でＳＲＳを送信するように上位層によって設定された場合、端末はＤＣＩフォーマット２＿０内ＳＦＩ−インデックスフィールド値によってアップリンクシンボルであると指示されたスロットのシンボルの集合におけるシンボルのサブセット内でＳＲＳを送信する。
【０１２７】
−  端末はスロットのシンボルの集合がダウンリンクであると指示するＤＣＩフォーマット２＿０内ＳＦＩ−インデックスフィールド値を感知することを期待せず、また、スロットのシンボルの集合の一つ以上のシンボル内でＳＲＳ、ＰＵＳＣＨ、ＰＵＣＣＨ、又はＰＲＡＣＨを送信するように端末に指示するＤＣＩフォーマット０＿０、ＤＣＩフォーマット０＿１、ＤＣＩフォーマット１＿０、ＤＣＩフォーマット１＿１、ＤＣＩフォーマット２＿３、又はＲＡＲアップリンクグラントを感知することを期待しない。
【０１２８】
−  もし、スロットのシンボルの集合がアップリンクのタイプ（ｔｙｐｅ）２のグラントＰＤＣＣＨによって活性化されるＰＵＳＣＨ送信の任意の繰り返し（ａｎｙ  ｒｅｐｉｔｉｔｉｏｎ）に対応するシンボルを含むと、端末はスロットのシンボルの集合がダウンリンク又はフレキシブルであると指示するＤＣＩフォーマット２＿０内ＳＦＩ−インデックスフィールド値を感知することを期待しない。
【０１２９】
−  端末はスロットのシンボルの集合がアップリンクであると指示するＤＣＩフォーマット２＿０内ＳＦＩ−インデックスフィールド値を感知することを期待せず、また、スロットのシンボルの集合における一つ以上のシンボル内でＰＤＳＣＨ又はＣＳＩ−ＲＳを受信するように端末に指示するＤＣＩフォーマット１＿０又はＤＣＩフォーマット１＿１又はＤＣＩフォーマット０＿１を感知することを期待しない。
【０１３０】
もし、端末がスロットのシンボルの集合内でＣＳＩ−ＲＳ又はＰＤＳＣＨを受信するように上位層によって設定され、端末がアップリンク又はフレキシブルであるとシンボルの集合におけるシンボルのサブセットを有するスロットフォーマットを指示する２５５ではないスロットフォーマット値を有するＤＣＩフォーマット２＿０を感知するか、又は端末がシンボルの集合内少なくとも一つのシンボルで、ＰＵＳＣＨ、ＰＵＣＣＨ、ＳＲＳ、又はＰＲＡＣＨを送信するように端末に指示するＤＣＩフォーマット０＿０、ＤＣＩフォーマット０＿１、ＤＣＩフォーマット１＿０、ＤＣＩフォーマット１＿１、又はＤＣＩフォーマット２＿３を感知すると、端末はスロットのシンボルの集合内でＣＳＩ−ＲＳの受信を取り消すか、スロット内でＰＤＳＣＨの受信を取り消す。
【０１３１】
もし、端末がスロットのシンボルの集合内でＳＲＳ、又はＰＵＣＣＨ、又はＰＵＳＣＨ、又はＰＲＡＣＨを送信するように上位層によって設定され、端末がシンボルの集合におけるシンボルのサブセットを有するスロットフォーマットがダウンリンク又はフレキシブルであると指示する２５５ではないスロットフォーマット値を有するＤＣＩフォーマットを感知するか、又は端末がシンボルの集合におけるシンボルのサブセット内でＣＳＩ−ＲＳ又はＰＤＳＣＨを受信するように端末に指示するＤＣＩフォーマット１＿０、ＤＣＩフォーマット１＿１、又はＤＣＩフォーマット０＿１を感知した場合、
【０１３２】
−  端末は対応するＰＵＳＣＨのプロセシング能力に対するＰＵＳＣＨの準備時間Ｔｐｒｏｃ、２よりも小さい複数個のシンボル以降に発生する、端末がＤＣＩフォーマット２＿０又はＤＣＩフォーマット１＿０又はＤＣＩフォーマット１＿１又はＤＣＩフォーマット０＿１を感知するＣＯＲＥＳＥＴの最後のシンボルに対して、シンボルのサブセットのシンボル内での送信を取り消すことを期待しない。
【０１３３】
−  端末はシンボルの集合の残存シンボル内でＰＵＣＣＨ、又はＰＵＳＣＨ、又はＰＲＡＣＨの送信を取り消し、シンボルのサブセットの残存シンボル内でＳＲＳ送信を取り消す。
【０１３４】
もし、端末がスロットのシンボルの集合がフレキシブルであるか、アップリンクであると指示するＤＣＩフォーマット２＿０内ＳＦＩ−インデックスフィールド値を感知せず、端末がシンボルの集合内でＳＲＳ、ＰＵＳＣＨ、ＰＵＣＣＨ、又はＰＲＡＣＨを送信することを端末に指示するＤＣＩフォーマット０＿０、ＤＣＩフォーマット０＿１、ＤＣＩフォーマット１＿０、ＤＣＩフォーマット１＿１、又はＤＣＩフォーマット２＿３を感知しないと、端末はＰＤＣＣＨのモニタリングのために端末に設定されたＣＯＲＥＳＥＴ内フレキシブルシンボルは、ダウンリンクシンボルであると仮定する。
【０１３５】
ＴＤＤ−ＵＬ−ＤＬ−ＣｏｎｆｉｇｕｒａｔｉｏｎＣｏｍｍｏｎ、及びＴＤＤ−ＵＬ−ＤＬ−ＣｏｎｆｉｇＤｅｄｉｃａｔｅｄによってフレキシブルであると指示されるか、又はＴＤＤ−ＵＬ−ＤＬ−ＣｏｎｆｉｇｕｒａｔｉｏｎＣｏｍｍｏｎ、及びＴＤＤ−ＵＬ−ＤＬ−ＣｏｎｆｉｇＤｅｄｉｃａｔｅｄが端末に提供されず、もし、端末がスロットに対するスロットフォーマットを提供するＤＣＩフォーマット２＿０を感知しない場合、スロットのシンボルの集合に対して、
【０１３６】
−  もし、端末がＤＣＩフォーマット１＿０、ＤＣＩフォーマット１＿１、又はＤＣＩフォーマット０＿１によって対応する指示を受信すると、端末はスロットのシンボルの集合内でＰＤＳＣＨ又はＣＳＩ−ＲＳを受信する。
【０１３７】
−  もし、端末がＤＣＩフォーマット０＿０、ＤＣＩフォーマット０＿１、ＤＣＩフォーマット１＿０、ＤＣＩフォーマット１＿１、又はＤＣＩフォーマット２＿３によって対応する指示を受信すると、端末はスロットのシンボルの集合内でＰＵＳＣＨ、ＰＵＣＣＨ、ＰＲＡＣＨ、又はＳＲＳを送信する。
【０１３８】
−  端末はＰＤＣＣＨを受信する。
【０１３９】
−  もし、端末がスロットのシンボルの集合内でＰＤＳＣＨ又はＣＳＩ−ＲＳを受信するように上位層によって設定された場合、端末はスロットのシンボルの集合内でＰＤＳＣＨ又はＣＳＩ−ＲＳを受信しない。
【０１４０】
−  もし、端末がスロットのシンボルの集合内でＳＲＳ、又はＰＵＣＣＨ、又はＰＵＳＣＨ、又はＰＲＡＣＨを送信するように上位層によって設定された場合、前記端末は、もし存在すれば、端末がＤＣＩフォーマット２＿０に対してＰＤＣＣＨをモニタリングするように設定されたＣＯＲＥＳＥＴの最後のシンボル以降対応するＰＵＳＣＨのタイミング能力に対するＰＵＳＣＨの準備時間Ｎ２のような複数のシンボルであるシンボルから始めるスロットである、スロット内でＰＵＣＣＨ、又はＰＵＳＣＨ、又はＰＲＡＣＨを送信せず、スロット内シンボルの集合におけるシンボル内でＳＲＳを送信せず、
【０１４１】
もし、存在すれば、端末がＤＣＩフォーマット２＿０に対するＰＤＣＣＨをモニタリングするように設定されたＣＯＲＥＳＥＴの最後のシンボル以降に対応するＰＵＳＣＨのタイミング能力に対するＰＵＳＣＨの準備時間Ｎ２のような複数のシンボルであるシンボル以前に始めるスロットである、スロット内シンボルの集合におけるシンボル内でＳＲＳ、又はＰＵＣＣＨ、又はＰＵＳＣＨ、又はＰＲＡＣＨの送信を取り消すことを期待しない。
【０１４２】
ＦＲ１の周波数バンド内のセル上の端末に対する対をなしていないスペクトル動作に対して、ＲＲＭ測定によるスケジューリングの制限が利用可能ではない場合、もし、端末がシンボルの集合内で送信するように端末に指示するＤＣＩフォーマット０＿０、ＤＣＩフォーマット０＿１、ＤＣＩフォーマット１＿０、ＤＣＩフォーマット１＿１、又はＤＣＩフォーマット２＿３を検出すると、もし、ＳＳ／ＰＢＣＨブロック又はＣＳＩ−ＲＳの受信がシンボルの集合の少なくとも一つのシンボルを含むと、端末はＳＳ／ＰＢＣＨブロックに基づくＲＲＭ測定又は前記周波数バンドの他のセル上でＣＳＩ−ＲＳの受信を行うように要求されない。
【０１４３】
本開示の一部具現において、前述したように、シンボル単位で資源方向（例えば、アップリンク又はダウンリンクなど）が設定され得る。また、NRでは互いに異なる複数個の副搬送波間隔が定義され、これによって、一つのシンボルの時間上の長さが副搬送波間隔に応じて変わり得る。また、同じ副搬送波間隔を有するシンボルの長さがサイクリックプレフィックスの種類に応じて変わり得る。このような状況を考慮するとき、一般ＣＰ又は拡張ＣＰを有する多様な長さのシンボル及びこのようなシンボルの集合であるスロットに対して、アップリンク、ダウンリンク、又はフレキシブルシンボルを含む資源方向／スロットフォーマットの決定方法が議論される必要がある。
【０１４４】
以下では、本開示の具現の例についてさらに詳細に説明する。
【０１４５】
資源方向（ｄｉｒｅｃｔｉｏｎ）を端末に指示するとき、スロット又はシンボル単位で指示し得る。資源方向は、ダウンリンク（以下、Ｄ）、アップリンク（以下、Ｕ）、フレキシブル（ｆｌｅｘｉｂｌｅ、以下、Ｘ又はＦ）のように指示され得る。
【０１４６】
一部具現において、資源方向は一般ＣＰ（Ｎｏｒｍａｌ  ＣＰ：ＮＣＰ）を基準に端末に知らせることができる。しかし、一部シナリオにおいて、端末はダウンリンクに対して、或いはアップリンクに対してＮＣＰではない拡張ＣＰ（Ｅｘｔｅｎｄｅｄ  ＣＰ：ＥＣＰ）が設定されることができる。このように端末がＮＣＰに関する資源方向の指示を受信するが、ＥＣＰに設定されるシナリオにおいて、端末はＥＣＰ環境での資源方向を定義する方法を決定する必要がある。
【０１４７】
資源方向を指示する技術の一例は次の通りである。一部具現において、このような技術は、技術標準Ｒｅｌ．１５  ３ＧＰＰ  ＴＳ  ３８．２１２及びＴＳ  ３８．２１３を遵守することができ、その内容はここで参照として含まれ得る。端末別に異なって組み合わせられる端末特定的スロットフォーマット指示（ｓｌｏｔ  ｆｏｒｍａｔ  ｉｎｄｉｃａｔｉｏｎ）の表は、例えば、技術標準ＴＳ  ３８．２１２及びＴＳ  ３８．２１３に定義されたように、１−スロット単位の母スロットフォーマットの表（ｍｏｔｈｅｒ  ｓｌｏｔ  ｆｏｒｍａｔ  ｔａｂｌｅ）を用いることによって設定され得る。表の各項目（ｅｎｔｒｙ）には多様な組み合わせの母スロットフォーマット（ｍｏｔｈｅｒ  ｓｌｏｔ  ｆｏｒｍａｔ）の束が格納されており、端末に使用する端末特定的ＳＦＩ表の項目のインデックスを知らせて、端末が該当インデックスの項目にあるスロットフォーマットの束を持って資源方向を認知することになる。
【０１４８】
一部具現において、端末は特定的ＳＦＩの表が仮定する基準／リファレンス（ｒｅｆｅｒｅｎｃｅ）の副搬送波間隔（ｓｕｂｃａｒｒｉｅｒ  ｓｐａｃｉｎｇ：ＳＣＳ）を共に設定され、ＳＦＩの表にあるスロットフォーマットは、リファレンスのＳＣＳに基づいているため、これを実際に使用する使用中のＳＣＳ（ｕｓｉｎｇ  ＳＣＳ）に基づいて適用する。このとき適用することは、もし、リファレンスのＳＣＳが１５キロヘルツ（ｋｉｌｏｈｅｒｔｚ：ｋＨｚ）であり、実際に使用するＳＣＳが３０ｋＨｚであれば、指示されたスロットフォーマットを２倍に増やして（１個のシンボルに対する方向を２個のシンボルに）適用する。
【０１４９】
ＮＣＰのスロットフォーマットの指示のためのＮＣＰリファレンスのＳＣＳとＥＣＰのスロットフォーマットの指示のためのＥＣＰリファレンスのＳＣＳを別途で定義し得る。各リファレンスのＳＣＳは、実際使用のＳＣＳよりも大きくない条件を考慮し得る。
【０１５０】
ＥＣＰに対するスロットフォーマットの指示方法として、次の方法が具現され得る。
【０１５１】
＜ＥＣＰに対する独立のスロットフォーマット（ｉｎｄｅｐｅｎｄｅｎｔ  ｓｌｏｔ  ｆｏｒｍａｔｓ  ｆｏｒ  ＥＣＰ）＞
【０１５２】
ＥＣＰに対するスロットフォーマットの指示方法のうち一つであって、ＥＣＰを基準とする別途のスロットフォーマットを定義して指示し得る。端末特定的ＳＦＩの表に対して、１−スロット単位の母スロットフォーマットの表はＥＣＰで定義されてもよく、これを活用し、該当スロットフォーマットの組み合わせで端末特定的ＳＦＩの表の項目を構成することができる。ＥＣＰに対する別途のスロットフォーマットに対して、ＮＣＰのためのスロットフォーマットを基準に後述する＜スロットフォーマットの変更規則＞で提示される規則に従うことができ、又は独立に作ることができる。後述する＜スロットフォーマットの変更規則＞の動作は、端末がＮＣＰ基準のＳＦＩを受けたときに端末が動作すべき過程である。一部具現において、ＥＣＰのための母スロットフォーマットの表を後述する＜スロットフォーマットの変更規則＞に従って作るということは、ＥＣＰの母スロットフォーマットの表を定義するとき、該当規則を活用して明示するという意味である。
【０１５３】
ＥＣＰのための独立のスロットフォーマットが定義がされるとき、別途の上位層のシグナリング（ｈｉｇｈｅｒ  ｌａｙｅｒ  ｓｉｇｎａｌｉｎｇ）を介して端末に伝達された端末特定的ＳＦＩの表がＥＣＰのためのスロットフォーマットに基づいて作られたか、ＮＣＰのためのスロットフォーマットに基づいて作られたか否かを知らせることができる。
【０１５４】
端末がＥＣＰの設定を受け、ＥＣＰのためのスロットフォーマットを基準に端末特定的ＳＦＩの表が作られた場合には、端末がそのまま適用すればよく、端末がＥＣＰの設定を受けたが、ＮＣＰのためのスロットフォーマットを基準に端末特定的ＳＦＩの表が作られた場合には、後述する＜スロットフォーマットの変更規則＞で説明する規則に従って、端末がスロットフォーマットを変更して適用させることができる。
【０１５５】
＜スロットフォーマットの変更規則（ｓｌｏｔ  ｆｏｒｍａｔ  ｃｈａｎｇｅ  ｒｕｌｅ）＞
【０１５６】
ＥＣＰに対するスロットフォーマットの指示方法のうち一つであって、ＮＣＰのスロットフォーマットに基づいてＥＣＰのスロットフォーマットに変形する規則を定義することができる。言い換えると、複数のＮＣＰのスロットフォーマットのみ事前に定義し、ＥＣＰのスロットフォーマットは事前に定義されたＮＣＰのスロットフォーマットを変更する方法を考慮し得る。
【０１５７】
図１２は、一般サイクリックプレフィックス（ｃｙｃｌｉｃ  ｐｒｅｆｉｘ：ＣＰ）を有するスロットと拡張ＣＰを有するスロットの一例を示す。
【０１５８】
図１２の例において、同一のＳＣＳでＮＣＰとＥＣＰのスロット構造が示される。１５ｋＨｚのＳＣＳで、１ミリ秒（ｍｉｌｌｉｓｅｃｏｎｄ：ｍｓ）には、ＮＣＰは１４シンボル、ＥＣＰは１２シンボルが構成されることになる。ＮＣＰを有するスロットのシンボルの数とＥＣＰを有するスロットのシンボルの数は互いに異なるが、時間軸で見るとき、ＮＣＰとＥＣＰの資源方向は殆ど同様に具現され得、これを通じて周辺の干渉影響も最小化し、ｇＮＢが通信を維持することが円滑になる。
【０１５９】
ここで開示する具現によると、ＮＣＰのスロットフォーマットを基準にＥＣＰのスロットフォーマットに対する規則が定義される。これを通じて、一部シナリオにおいて、別途のＥＣＰのためのスロットフォーマットを別に定義する必要がないことがある。
【０１６０】
以下では、前述した＜スロットフォーマットの変更規則＞に対する具体的な例示を説明する。
【０１６１】
１．同一リファレンスのＳＣＳ
【０１６２】
ＮＣＰとＥＣＰのリファレンスのＳＣＳがそれぞれ同じように設定し得る。一部具現において、１個のスロット構造は図１２の通りであり、ＮＣＰの１乃至７番のシンボルとＥＣＰの１乃至６番のシンボルが正確に整列されることを見ることができる。また、ＮＣＰの８乃至１４番のシンボルとＥＣＰの７乃至１２番のシンボルが整列されている。ＮＣＰのシンボル方向をＥＣＰのシンボルに適用させるとしたとき、ＮＣＰの２個のシンボルが一つのＥＣＰにかけている。このような構造上の差のため、ＮＣＰの２個のシンボルの方向が１個のＥＣＰシンボル方向に変わるときのスロットフォーマットの変更規則を適用するＮＣＰシンボルとＥＣＰシンボルとの関係は次のように定義し得る。
【０１６３】
これを通じて、図１２の例のようなスロット間の関係で、一般ＣＰに対する スロットフォーマットの設定を受け、これを拡張ＣＰを有するスロットに適用する技術を具現し得る。ここで、拡張ＣＰを有するスロット内のシンボルの資源方向／フォーマットは、前記拡張ＣＰを有するスロット内のシンボルと時間軸で重なる（ｏｖｅｒｌａｐｐｉｎｇ）（例えば、図１２のＥＣＰシンボル１は、ＮＣＰシンボル１及びＮＣＰシンボル２と重なる関係である。）一般ＣＰを有するスロット内のシンボルの資源方向／フォーマットに基づいて決定される技術を具現し得る。
【０１６４】
一部具現において、後述するＮＣＰシンボルとＥＣＰシンボルとの関係で、ＮＣＰシンボル及びＥＣＰシンボルの番号は１から始めるように作成したが、これは、一つの例示であるだけであり、ＮＣＰシンボル及びＥＣＰシンボルの番号は０又はその他の適切な開始地点から始めることもある。
【０１６５】
−  ＮＣＰシンボル１、２  →  ＥＣＰシンボル１
【０１６６】
−  ＮＣＰシンボル２、３  →  ＥＣＰシンボル２
【０１６７】
−  ＮＣＰシンボル３、４  →  ＥＣＰシンボル３
【０１６８】
−  ＮＣＰシンボル４、５  →  ＥＣＰシンボル４
【０１６９】
−  ＮＣＰシンボル５、６  →  ＥＣＰシンボル５
【０１７０】
−  ＮＣＰシンボル６、７  →  ＥＣＰシンボル６
【０１７１】
−  ＮＣＰシンボル８、９  →  ＥＣＰシンボル７
【０１７２】
−  ＮＣＰシンボル９、１０  →  ＥＣＰシンボル８
【０１７３】
−  ＮＣＰシンボル１０、１１  →  ＥＣＰシンボル９
【０１７４】
−  ＮＣＰシンボル１１、１２  →  ＥＣＰシンボル１０
【０１７５】
−  ＮＣＰシンボル１２、１３  →  ＥＣＰシンボル１１
【０１７６】
−  ＮＣＰシンボル１３、１４  →  ＥＣＰシンボル１２
【０１７７】
一部具現において、任意のＮＣＰシンボルｘ及びＮＣＰシンボルｘ＋１の組み合わせに応じて、ＥＣＰシンボルを定義し得る。ここで、前述したように、ｘは０から始めるシナリオでは、０、１、２、３、４、５、７、８、９、１０、１１、１２であってもよく、１から始めるシナリオでは、１、２、３、４、５、６、８、９、１０、１１、１２、１３であってもよい。一部具現において、前述したように、下記の規則に対して、Ｄはダウンリンクシンボル、Ｕはアップリンクシンボル、Ｘはフレキシブルシンボルをそれぞれ意味する。
【０１７８】
−  規則１：ＮＣＰシンボルＤ、Ｄ  →  ＥＣＰシンボルＤ
【０１７９】
−  規則１−１のオプション１：ＮＣＰシンボルＤ、Ｘ  →  ＥＣＰシンボルＤ
【０１８０】
−  規則１−１のオプション２：ＮＣＰシンボルＤ、Ｘ  →  ＥＣＰシンボルＸ
【０１８１】
−  規則１−２のオプション１：ＮＣＰシンボルＸ、Ｄ  →  ＥＣＰシンボルＤ
【０１８２】
−  規則１−２のオプション２：ＮＣＰシンボルＸ、Ｄ  →  ＥＣＰシンボルＸ
【０１８３】
−  規則２：ＮＣＰシンボルＵ、Ｕ  →  ＥＣＰシンボルＵ
【０１８４】
−  規則２−１のオプション１：ＮＣＰシンボルＵ、Ｘ  →  ＥＣＰシンボルＵ
【０１８５】
−  規則２−１のオプション２：ＮＣＰシンボルＵ、Ｘ  →  ＥＣＰシンボルＸ
【０１８６】
−  規則２−２のオプション１：ＮＣＰシンボルＸ、Ｕ  →  ＥＣＰシンボルＵ
【０１８７】
−  規則２−２のオプション２：ＮＣＰシンボルＸ、Ｕ  →  ＥＣＰシンボルＸ
【０１８８】
−  規則３のオプション１：ＮＣＰシンボルＵ、Ｄ  →  Ｄ
【０１８９】
−  規則３のオプション２：ＮＣＰシンボルＵ、Ｄ  →  Ｕ
【０１９０】
−  規則３のオプション３：ＮＣＰシンボルＵ、Ｄ  →  Ｘ
【０１９１】
−  規則３のオプション４：ＮＣＰシンボルＵ、Ｄ  →  エラー（ｅｒｒｏｒ）
【０１９２】
−  規則４：ＮＣＰシンボルＸ、Ｘ  →  Ｘ
【０１９３】
ここで、具現に応じてオプション（ｏｐｔｉｏｎ）のある規則に対しては、どんな規則に従うべきか上位層のシグナリングに設定するか、一つのオプションで固定され得る。
【０１９４】
以下では、スロットフォーマットの変更規則が適用される一例を説明する。
【０１９５】
例えば、前述した規則のうち、規則１、規則１−１のオプション２、規則１−２のオプション２、規則２、規則２−１のオプション２、規則２−２のオプション２、規則３のオプション３、及び規則４がスロットフォーマットの変更規則で適用され得る。前述したように、これは上位層のシグナリングに設定されてもよく、又は固定されたものであってもよい。
【０１９６】
このような場合、ＥＣＰを有する一つのシンボルと重なる／オーバーラップされるＮＣＰを有する２個のシンボルがいずれもダウンリンクシンボルであるか、いずれもアップリンクシンボルであるか、又はいずれもフレキシブルシンボルである場合、端末は、規則１、規則２、規則４によって対応するＥＣＰを有するシンボルに対してそれぞれダウンリンクシンボル、アップリンクシンボル、又はフレキシブルシンボルで決定し得る。
【０１９７】
また、前記ＮＣＰを有する２個のシンボルのうち一つがフレキシブルシンボルである場合、（具体的に、前記ＮＣＰを有する２個のシンボルの組み合わせがアップリンク−フレキシブルシンボル、フレキシブル−アップリンクシンボル、ダウンリンク−フレキシブルシンボル、又はフレキシブル−ダウンリンクシンボルである場合）端末は規則１−１のオプション２、規則１−２のオプション  ２、規則２−１のオプション２、及び規則２−２のオプション２により対応するＥＣＰを有するシンボルがフレキシブルシンボルであると決定し得る。
【０１９８】
また、前記ＮＣＰを有する２個のシンボルがそれぞれアップリンクシンボル及びダウンリンクシンボルである場合、端末は規則３のオプション３により対応するＥＣＰを有するシンボルがフレキシブルシンボルであると決定し得る。
【０１９９】
図１３は、本開示の一部具現による端末のスロットフォーマットの決定方法の一例を示したフローチャートである。
【０２００】
図１３の例によると、端末はネットワークから第１スロットフォーマットを知らせるスロットフォーマットの情報を受信する（Ｓ１３１０）。ここで、前記第１スロットフォーマットは、特定の時間区間に含まれた一般ＣＰを有する一般シンボルに対するスロットフォーマットであり得る。前記特定の時間区間は、例えば、複数の一般シンボルの持続時間（ｄｕｒａｔｉｏｎ）であり得る。
【０２０１】
以降、前記端末は、前記スロットフォーマットの情報に基づき、第２スロットフォーマットを決定する（Ｓ１３２０）。ここで、前記第２スロットフォーマットは、前記特定の時間区間に含まれた拡張ＣＰを有する拡張シンボルに対するスロットフォーマットであり得る。前記特定の時間区間は、例えば、また、複数の拡張シンボルの持続時間であり得る。
【０２０２】
図１４は、本開示の一部具現による端末のスロットフォーマットの決定方法の一例を示す。
【０２０３】
図１４を通じて本開示で説明するスロットフォーマットの決定方法が適用される具体的な例を挙げると、端末はネットワークから第１スロットフォーマットに対する情報が含まれたスロットフォーマットの情報を受信し、ここで前記第１スロットフォーマットは、前述した表４のフォーマット４１を指示し得る。一部具現において、前記表４のフォーマット４１によると、スロット内の第１番目のシンボル及び第２番目のシンボルはダウンリンクシンボル、スロット内の第３番目乃至第５番目のシンボルはフレキシブルシンボル、及びスロット内の第６番目のシンボル乃至第１４番目のシンボルはアップリンクシンボルにそれぞれ設定され得る。ここで、前述した通り、前記フォーマット４１は、一般ＣＰ（ＮＣＰ）を有するシンボルを基準としたフォーマットであり得る。
【０２０４】
一部具現において、前述したように、規則１、規則１−１のオプション２、規則１−２のオプション２、規則２、規則２−１のオプション２、規則２−２のオプション２、規則３のオプション３、及び規則４がスロットフォーマットの変更規則で適用され得る。即ち、前記端末は、前記スロットフォーマットの情報に基づき、第２のスロットフォーマットを決定するとき、規則１、規則１−１のオプション２、規則１−２のオプション２、規則２、規則２−１のオプション２、規則２−２のオプション２、規則３のオプション３、及び規則４に基づいて決定し得る。
【０２０５】
このような場合、第１番目の拡張ＣＰ（ＥＣＰ）シンボルは、規則１によってダウンリンクシンボル、第２番目のＥＣＰシンボルは、規則１−１のオプション２によってフレキシブルシンボル、第３番目及び第４番目のＥＣＰシンボルは、規則４によってフレキシブルシンボル、第５番目のＥＣＰシンボルは規則２−２のオプション２によってフレキシブルシンボル、第６番目のＥＣＰシンボル乃至第１２番目のＥＣＰシンボルは、規則２によってアップリンクシンボルで決定され得る。
【０２０６】
前記説明した規則を適用させてみると、ＥＣＰのシンボル方向のうち、ＤとＵとの間にＸがないことがある。仮に、ＮＣＰ１乃至４までＤ、ＮＣＰ５はＸ、ＮＣＰ６乃至７はＵであるとき、規則１−１のオプション１と規則２−２のオプション１を適用すると、ＥＣＰシンボルはＤ、Ｄ、Ｄ、Ｄ、Ｕ、Ｕになる。しかし、ＤとＵとの間のスイッチング（ｓｗｉｔｃｈｉｎｇ）のために少なくとも１個のフレキシブルシンボルが具現されるシナリオでＥＣＰの修正された（ｍｏｄｉｆｉｅｄ）シンボル方向が用いられ得る。このようなシナリオでこのような組み合わせを避けるために、前記の規則オプションを考慮したとき、 次の組み合わせ（ｃｏｍｂｉｎａｔｉｏｎ）が具現されてもよい。
【０２０７】
−  組み合わせ１：規則１−１のオプション１＆規則２−２のオプション２
【０２０８】
［ＮＣＰシンボルＤ、Ｘ  →  ＥＣＰシンボルＤ］＆［ＮＣＰシンボルＸ、Ｕ  →  ＥＣＰシンボルＸ］
【０２０９】
−  組み合わせ２：規則１−１のオプション２＆規則２−２のオプション１
【０２１０】
［ＮＣＰシンボルＤ、Ｘ  →  ＥＣＰシンボルＸ］＆［ＮＣＰシンボルＸ、Ｕ  →  ＥＣＰシンボルＵ］
【０２１１】
このような組み合わせも、どんな組み合わせを使用するか端末に上位層のシグナリングに設定するか、一つの組み合わせを使用するように固定され得る。或いは、規則によって、Ｄシンボル／スロット後に直ぐにＵが出る場合、Ｕが始める前に少なくとも一つのＤシンボルはＸに変更されると仮定し得る。
【０２１２】
２．他のＳＣＳ
【０２１３】
ＮＣＰのリファレンスのＳＣＳがＥＣＰのリファレンスのＳＣＳよりも小さいときは、ＮＣＰスロットの持続時間（ｔｉｍｅ  ｄｕｒａｔｉｏｎ）がＥＣＰスロットの持続時間よりも大きいため、ＥＣＰシンボルはＮＣＰシンボル内に存在するか、一部は２個のＮＣＰシンボルにかけていることがある。ＮＣＰシンボル内に存在するＥＣＰシンボルの方向は、ＮＣＰシンボルをそのまま従えばよく、２個のＮＣＰシンボルにかけているＥＣＰシンボルの場合、前述した１．同一リファレンスのＳＣＳのシナリオで定義した規則に従って、シンボル方向を定義し得る。
【０２１４】
図１５は、ＮＣＰのリファレンスのＳＣＳよりもＥＣＰのリファレンスのＳＣＳが２倍大きい場合に対するスロット構造の一例を示す。ここで、例えば、ＮＣＰのリファレンスのＳＣＳは３０ｋＨｚ、ＥＣＰのリファレンスのＳＣＳは６０ｋＨｚであってもよい。
【０２１５】
図１５の例によると、ＥＣＰシンボル１はＮＣＰシンボル１内に存在し、ＥＣＰシンボル２はＮＣＰシンボル１及びＮＣＰシンボル２にかけている。また、ＥＣＰシンボル３は、ＮＣＰシンボル２内に存在し、ＥＣＰシンボル４はＮＣＰシンボル２及びＮＣＰシンボル３にかけている。また、ＥＣＰシンボル５はＮＣＰシンボル３内に存在し、ＥＣＰシンボル６はＮＣＰシンボル３及びＮＣＰシンボル４にかけている。同じ方式で、ＮＣＰのリファレンスのＳＣＳよりもＥＣＰのリファレンスのＳＣＳが大きい場合には、複数個のＮＣＰシンボルにかけているＥＣＰシンボルと一つのＮＣＰシンボル内に存在するＥＣＰシンボルが存在し得る。
【０２１６】
ここで、ＮＣＰシンボルに対するスロットフォーマットを受信した端末は、ＥＣＰシンボルに対するスロットフォーマットを決定するとき、ＮＣＰシンボルに含まれるＥＣＰシンボルに対しては、該当ＮＣＰシンボルの資源方向をそのまま適用し、複数個のＮＣＰシンボルにかけているＥＣＰシンボルに対しては、前述したスロットフォーマットの変更規則を適用し、該当ＥＣＰシンボルのフォーマットを決定し得る。具体的な例を挙げると、図１５のＥＣＰシンボル１は、ＮＣＰシンボル１内に存在するシンボルであるので、ＮＣＰシンボル１のフォーマットをそのまま適用し、ＥＣＰシンボル２は、ＮＣＰシンボル１及びＮＣＰシンボル２にかけているシンボルであるので、前述したスロットフォーマットの変更規則を適用してフォーマットを決定し得る。
【０２１７】
これに対し、ＮＣＰのリファレンスのＳＣＳがＥＣＰのリファレンスのＳＣＳよりも大きい場合、一つのＥＣＰシンボルの持続時間に多数のＮＣＰシンボルが配置され得る。一例として、ＮＣＰのリファレンスのＳＣＳがＥＣＰのリファレンスのＳＣＳよりも２倍大きい場合を考慮し得る。
【０２１８】
図１６は、ＮＣＰのリファレンスのＳＣＳがＥＣＰのリファレンスのＳＣＳよりも２倍大きい場合に対するスロット構造の一例を示す。ここで、例えば、ＮＣＰのリファレンスのＳＣＳは３０ｋＨｚであり、ＥＣＰのリファレンスのＳＣＳは１５ｋＨｚであってもよい。
【０２１９】
図１６の例によると、ＥＣＰシンボル１にＮＣＰシンボル１乃至３が重なり、ＥＣＰシンボル２にＮＣＰシンボル３乃至５が重なり、ＥＣＰシンボル３にＮＣＰシンボル５乃至７が重なり、ＥＣＰシンボル４にＮＣＰシンボル８乃至１０が重なり、ＥＣＰシンボル５にＮＣＰシンボル１０乃至１２が重なり、ＥＣＰシンボル６にＮＣＰシンボル１２乃至１４が重なる。また、ＥＣＰシンボル  ７乃至１２に対しては、それぞれＥＣＰシンボル１乃至６の場合と同一である。
【０２２０】
このような場合、一つのＥＣＰシンボルの持続時間に３個の（一部かけられたシンボルを含む）ＮＣＰシンボルが入り得る。このときの規則を次のように定義し得る。
【０２２１】
−  規則１：ＮＣＰシンボルＤ、Ｄ、Ｄ  →  ＥＣＰシンボルＤ
【０２２２】
−  規則１−１のオプション１：ＮＣＰシンボルＤ、Ｄ、Ｘ  →  ＥＣＰシンボルＤ
【０２２３】
−  規則１−１のオプション２：ＮＣＰシンボルＤ、Ｄ、Ｘ  →  ＥＣＰシンボルＸ
【０２２４】
−  規則１−２のオプション１：ＮＣＰシンボルＤ、Ｘ、Ｘ  →  ＥＣＰシンボルＤ
【０２２５】
−  規則１−２のオプション２：ＮＣＰシンボルＤ、Ｘ、Ｘ  →  ＥＣＰシンボルＸ
【０２２６】
−  規則１−３のオプション１：ＮＣＰシンボルＸ、Ｘ、Ｄ  →  ＥＣＰシンボルＤ
【０２２７】
−  規則１−３のオプション２：ＮＣＰシンボルＸ、Ｘ、Ｄ  →  ＥＣＰシンボルＸ
【０２２８】
−  規則１−４のオプション１：ＮＣＰシンボルＸ、Ｄ、Ｄ  →  ＥＣＰシンボルＤ
【０２２９】
−  規則１−４のオプション２：ＮＣＰシンボルＸ、Ｄ、Ｄ  →  ＥＣＰシンボルＸ
【０２３０】
−  規則２：ＮＣＰシンボルＵ、Ｕ、Ｕ  →  ＥＣＰシンボルＵ
【０２３１】
−  規則２−１のオプション１：ＮＣＰシンボルＵ、Ｕ、Ｘ  →  ＥＣＰシンボルＵ
【０２３２】
−  規則２−１のオプション２：ＮＣＰシンボルＵ、Ｕ、Ｘ  →  ＥＣＰシンボルＸ
【０２３３】
−  規則２−２のオプション１：ＮＣＰシンボルＵ、Ｘ、Ｘ  →  ＥＣＰシンボルＵ
【０２３４】
−  規則２−２のオプション２：ＮＣＰシンボルＵ、Ｘ、Ｘ  →  ＥＣＰシンボルＸ
【０２３５】
−  規則２−３のオプション１：ＮＣＰシンボルＸ、Ｘ、Ｕ  →  ＥＣＰシンボルＵ
【０２３６】
−  規則２−３のオプション２：ＮＣＰシンボルＸ、Ｘ、Ｕ  →  ＥＣＰシンボルＸ
【０２３７】
−  規則２−４のオプション１：ＮＣＰシンボルＸ、Ｕ、Ｕ  →  ＥＣＰシンボルＵ
【０２３８】
−  規則２−４のオプション２：ＮＣＰシンボルＸ、Ｕ、Ｕ  →  ＥＣＰシンボルＸ
【０２３９】
−  規則３：ＮＣＰシンボルＤ、Ｘ、Ｕ  →  ＥＣＰシンボルＸ
【０２４０】
−  規則４：ＮＣＰシンボルＸ、Ｘ、Ｘ  →  ＥＣＰシンボルＸ
【０２４１】
前記説明した規則を適用させてみると、ＥＣＰのシンボル方向のうち、ＤとＵとの間にＸがないことがある。ＤとＵとの間のスイッチングのために、少なくとも１個のＸシンボルが具現されるシナリオで規則のオプションの組み合わせが具現され得る。ここで、可能な組み合わせ（ｐｏｓｓｉｂｌｅ  ｃｏｍｂｉｎａｔｉｏｎ）は次の通りである。
【０２４２】
−  規則１−１のオプション１＆［規則２−３のオプション２又は規則２−４のオプション２］
【０２４３】
−  規則１−２のオプション１＆［規則２−３のオプション２又は規則２−４のオプション２］
【０２４４】
−  規則１−１のオプション２＆［規則２−３のオプション１又は規則２−４のオプション１］
【０２４５】
−  規則１−２のオプション２＆［規則２−３のオプション１又は規則２−４のオプション１］
【０２４６】
或いは、前記のようにＵシンボル／スロットの開始前に少なくとも一つのＤシンボルをＸに変更し得る。
【０２４７】
一部具現において、前述した組み合わせのうち、どんな組み合わせを使用するかに対して端末に上位層のシグナリングに設定するか、一つの組み合わせを使用するように固定され得る。
【０２４８】
また、一例として、リファレンスのＳＣＳ制限（ｒｅｓｔｒｉｃｔｉｏｎ）を考慮し得る。
【０２４９】
ＮＣＰのリファレンスのＳＣＳがＥＣＰのリファレンスのＳＣＳよりも大きい場合、指示する持続時間が少なくともＥＣＰのリファレンスのＳＣＳの１スロットに対する持続時間の倍数になるようにしてもよい。
【０２５０】
３．ＳＦＩ制限に対する持続時間（ｔｉｍｅ  ｄｕｒａｔｉｏｎ  ｆｏｒ  ＳＦＩ  ｒｅｓｔｒｉｃｔｉｏｎ）
【０２５１】
ＮＣＰを基準としたスロットフォーマットを用いてＥＣＰのスロットフォーマットに変形させるとき、ＮＣＰを基準にＳＦＩを与える場合には、０．５ｍｓの倍数に対抗するスロットの数に対するＳＦＩを与え得る。例えば、１５ｋＨｚのＳＣＳで、ＮＣＰとＥＣＰは０．５ｍｓ毎にスロットが整列されるので、０．５ｍｓに合わせてＮＣＰ基準のＳＦＩを知らせる場合、ＥＣＰのＳＦＩに変えるとき、ＥＣＰのスロット構造と持続時間との整列を容易にすることができる。
【０２５２】
図１７は、本開示の一部具現による端末のスロットフォーマットの決定方法の一例を示したフローチャートである。
【０２５３】
図１７の例によると、ネットワーク又は基地局は、端末に第１スロットフォーマットを知らせるスロットフォーマットの情報を送信する（Ｓ１７１０）。ここで、前記第１スロットフォーマットは、特定の時間区間に含まれた一般ＣＰを有する一般シンボルに対するスロットフォーマットであり得る。前記特定の時間区間は、例えば、複数のＮＣＰシンボルの持続時間であり得る。
【０２５４】
以降、前記端末は、前記スロットフォーマットの情報に基づき、第２スロットフォーマットを決定する（Ｓ１７２０）。ここで、前記第２スロットフォーマットは、前記特定の時間区間に含まれた拡張ＣＰを有するシンボルに対するスロットフォーマットであり得る。前記特定の時間区間は、例えば、また、複数のＥＣＰシンボルの持続時間であり得る。
【０２５５】
ここで、例えば、第２スロットフォーマットの決定時、前述したスロットフォーマットの変更規則が適用され得る。また、ここで、一般ＣＰベースのリファレンスのＳＣＳと拡張ＣＰベースのリファレンスのＳＣＳとが互いに異なり得る。このような場合、前述した方法がスロットフォーマットの設定に使用され得る。これに対する例示は前述した通りであるので、具体的な説明は省略する。
【０２５６】
以降、前記端末は前記決定された第２スロットフォーマットに基づいて送信及び／又は受信動作を行うことができる（Ｓ１７３０）。
【０２５７】
＜それぞれのＤ及びＵのＣＰモードの設定によるスロットフォーマットの指示（ｓｌｏｔ  ｆｏｒｍａｔ  ｉｎｄｉｃａｔｉｏｎ  ａｃｃｏｒｄｉｎｇ  ｔｏ  ｔｈｅ  ＣＰ  ｍｏｄｅ  ｃｏｎｆｉｇｕｒａｔｉｏｎ  ｏｆ  ｅａｃｈ  Ｄ＆Ｕ）＞
【０２５８】
端末の立場で、ダウンリンクとアップリンクのＣＰモードが同じであってもよく、異なってもよい。
【０２５９】
ダウンリンクとアップリンクのＣＰモードが同一であるシナリオでは、一部具現により、次のようにスロットフォーマットを指示し得る。
【０２６０】
−  オプション１：ＣＰモードに合う母スロットフォーマットに基づいてＳＦＩを知らせる。
【０２６１】
−  オプション２：ＮＣＰモードに対する母スロットフォーマットのみ定義されており、ダウンリンクとアップリンクはいずれもＥＣＰのためのスロットフォーマットの変更規則を適用。
【０２６２】
ダウンリンクとアップリンクのＣＰモードが異なるシナリオにおいては、一部具現によって、ＮＣＰモードの母スロットフォーマットに基づいてＳＦＩを知らせ、ＥＣＰであるアップリンク／ダウンリンクに対してのみスロットフォーマットの変更規則を適用し得る。
【０２６３】
例えば、ダウンリンクに対しては一般ＣＰ、アップリンクに対しては拡張ＣＰの設定を受ける場合、端末はダウンリンクに対するスロットフォーマットの情報に基づいてアップリンクに対するスロットフォーマットを決定し得る。前述したように、ダウンリンクに対するスロットフォーマットの情報は、一般ＣＰベースのスロットフォーマットに対する情報を含み得る。また、ここで、前記アップリンクに対するスロットフォーマットは、前述したスロットフォーマットの変更規則に基づいて決定され得る。
【０２６４】
以下では、半静的Ｄ／Ｕの割り当てでＲＲＣを使用した資源設定（ｒｅｓｏｕｒｃｅ  ｃｏｎｆｉｇｕｒａｔｉｏｎｓ  ｗｉｔｈ  ＲＲＣ  ｉｎ  ｓｅｍｉ−ｓｔａｔｉｃ  Ｄ／Ｕ  ａｓｓｉｇｎｍｅｎｔ）の一例について説明する。
【０２６５】
半静的Ｄ／Ｕの割り当て（Ｓｅｍｉ−ｓｔａｔｉｃ  Ｄ／Ｕ  ａｓｓｉｇｎｍｅｎｔ）は、一つのＤ−Ｘ−Ｕ構造を有する一つの周期に設定されるか、２個のＤ−Ｘ−Ｕ構造を有する小さい２個の周期の組み合わせで一つの大きい周期を有するように設定され得る。即ち、周期ＸｍｓとＹｍｓを定義し、（Ｘ＋Ｙ）ｍｓが一つの大きい周期になる半静的Ｄ／Ｕの割り当てを与え得る。
【０２６６】
半静的Ｄ／Ｕの割り当てとは別個に、周期的ＣＳＩ測定（ｐｅｒｉｏｄｉｃ  ＣＳＩ  ｍｅａｓｕｒｅｍｅｎｔ）、周期的ＣＳＩ報告（ｐｅｒｉｏｄｉｃ  ＣＳＩ  ｒｅｐｏｒｔｉｎｇ）、端末特定的ＲＡＣＨ資源設定（ＵＥ−ｓｐｅｃｉｆｉｃ  ＲＡＣＨ  ｒｅｓｏｕｒｃｅ  ｃｏｎｆｉｇｕｒａｔｉｏｎ）、グラントフリー資源設定（Ｇｒａｎｔ−ｆｒｅｅ  ｒｅｓｏｕｒｃｅ  ｃｏｎｆｉｇｕｒａｔｉｏｎ）等のＲＲＣ設定が端末に伝達され得る。
【０２６７】
このようなＲＲＣ設定等は、半静的Ｄ／Ｕの割り当てによって実際に動作するか否かが決定され得るが、このようなＲＲＣ設定を与えるとき、半静的Ｄ／Ｕの割り当てが一つのＤ−Ｘ−Ｕ構造を有する一つの周期に設定されるシナリオで該当周期に対してのみ考慮すればよいため問題がないが、２個のＤ−Ｘ−Ｕ構造を有する小さい２個の周期の組み合わせで一つの大きい周期を有するように設定されるシナリオでは、どんな周期を基準にＲＲＣ設定を与えるか曖昧であり得るため、次のようなオプションが具現され得る。
【０２６８】
−  オプション１：ＲＲＣ設定をそれぞれの半静的Ｄ／Ｕの割り当ての小さい周期に合わせ得る。即ち、例えば、二つの小さい周期に合わせた二つのＲＲＣ設定を定義し、各ＲＲＣ設定は、各該当周期内でのみ適用するようにしてもよい。
【０２６９】
−  オプション２：二つの小さい周期からなる一つの大きい半静的周期に合わせてＲＲＣ設定を与え得る。オプション１に比べると、二つの小さい周期に合わせた設定でないため、ＲＲＣ設定が半静的Ｄ／Ｕの割り当てと正確にマッチングされるには難しいことがあるが、一つの設定のみ与え得るという長所がある。
【０２７０】
−  オプション３：半静的Ｄ／Ｕの割り当ての周期とは関係なく、ＲＲＣ設定固有の周期を定義して設定し得る。
【０２７１】
図１８は、本開示の一部具現による二つの周期を結合した半静的Ｄ／Ｕの割り当てのＲＲＣ設定の一例を示す。
【０２７２】
図１８の例示である（ａ）、（ｂ）、（ｃ）は、それぞれオプション１、オプション２、オプション３が適用されることを概略的に示したものである。ここで、半静的Ｄ／Ｕの割り当ては、周期Ｘ＋Ｙを有する。
【０２７３】
図１８の（ａ）は、ＲＲＣ設定１は周期Ｘ、ＲＲＣ設定２は周期Ｙを有するように設定されることを示したものである。即ち、２個のＲＲＣ設定が定義され、それぞれのＲＲＣ設定に対して個別的な周期（Ｘ及びＹ）が定義され、２個のＲＲＣ設定のそれぞれの周期の和が全ＲＲＣ設定の周期（Ｘ＋Ｙ）になる。ここで、全周期Ｘ＋Ｙの間、ＲＲＣ設定１及びＲＲＣ設定２が個別的に適用される。
【０２７４】
図１８の（ｂ）は、ＲＲＣ設定が半静的Ｄ／Ｕの割り当ての周期と同じ周期であるＸ＋Ｙを有するように設定されることを示したものである。即ち、例えば、１個のＲＲＣ設定が半静的Ｄ／Ｕの割り当ての周期と同じ周期であるＸ＋Ｙを有する。
【０２７５】
図１８の（ｃ）によると、ＲＲＣ設定の周期は半静的Ｄ／Ｕの割り当ての周期とは独立に設定され得る。
【０２７６】
前述したように、本開示の一部具現によると、向上した柔軟性を提供する流動的なスケジューリングを可能にするシンボル及びスロットに対する資源方向／スロットフォーマットの決定方法を提供する。
【０２７７】
説明した技術に対する一例もまた、本開示の具現方法のうち一つとして含まれ得るので、一種の提案方式と見なされ得ることは明らかである。また、説明した技術は独立して具現されることもあるが、一部技術の組み合わせ（或いは併合）の形態で具現されることもある。例えば、技術の適用可否の情報（或いは前記技術の規則に対する情報）は、基地局が端末に事前に定義されたシグナル（例えば、物理層のシグナル又は上位層のシグナル）を介して知らせるように規則が定義されることもある。
【０２７８】
図１９は、本開示の一部具現による送信装置及び受信装置の構成要素の一例を示したブロック図である。ここで、前記送信装置及び受信装置は、それぞれ基地局又は端末であってもよい。
【０２７９】
前記例において、送信装置１８１０及び受信装置１８２０は、情報及び／又はデータ、信号、メッセージ等を運ぶ無線信号を送信又は受信することができる送受信機１８１２、１８２２と、無線通信システム内の通信に関する各種情報を格納するメモリ１８１３、１８２３、前記送受信機１８１２、１８２２、及びメモリ１８１３、１８２３等の構成要素と連結され、前記構成要素を制御して該当装置が前述した本開示の具現のうち少なくとも一つを行うようにメモリ１８１３、１８２３及び／又は送受信機１８１２、１８２２を制御するように構成された（ｃｏｎｆｉｇｕｒｅｄ）プロセッサ１８１１、１８２１をそれぞれ含み得る。ここで、送受信機はトランシーバーとも呼ばれ得る。
【０２８０】
メモリ１８１３、１８２３は、プロセッサ１８１１、１８２１の処理及び制御のためのプログラムを格納することができ、入／出力される情報を一時格納することができる。メモリ１８１３、１８２３はバッファとして活用されることができる。
【０２８１】
プロセッサ１８１１、１８２１は、通常、送信装置又は受信装置内の各種モジュールの全般的な動作を制御する。特に、プロセッサ１８１１、１８２１は、本開示を行うための各種制御機能を行うことができる。プロセッサ１８１１、  １８２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）等とも呼ばれ得る。プロセッサ１８１１、１８２１は、ハードウェア（ｈａｒｄｗａｒｅ）又はファームウェア（ｆｉｒｍｗａｒｅ）、ソフトウェア、又はこれらの結合によって具現されることができる。ハードウェアを利用して本開示を具現する場合には、本開示を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）等がプロセッサ１８１１、１８２１に備えられることができる。一方、ファームウェアやソフトウェアを利用して本開示を具現する場合には、本開示の機能又は動作を行うモジュール、手続又は関数等を含むようにファームウェアやソフトウェアが構成されることができ、本開示を行えるように構成されたファームウェア又はソフトウェアは、プロセッサ１８１１、１８２１内に備えられるか、メモリ１８１３、１８２３に格納されてプロセッサ１８１１、１８２１によって駆動されることができる。
【０２８２】
送信装置１８１０の少なくとも一つのプロセッサ１８１１は、外部へ送信する信号及び／又はデータに対して、所定の符号化（ｃｏｄｉｎｇ）及び変調（ｍｏｄｕｌａｔｉｏｎ）を行った後、送受信機１８１２へ送信することができる。例えば、少なくとも一つのプロセッサ１８１１は、送信しようとするデータ列を逆多重化及びチャネル符号化、スクランブリング、変調過程などを経てコードワードを生成することができる。コードワードは、ＭＡＣ層が提供するデータブロックである転送ブロックと等価の情報を含み得る。一つの転送ブロック（ｔｒａｎｓｐｏｒｔ  ｂｌｏｃｋ、ＴＢ）は、一つのコードワードで符号化され得る。各コードワードは、一つ以上のレイヤーを介して受信装置に送信され得る。周波数アップコンバート（ｆｒｅｑｕｅｎｃｙ  ｕｐ−ｃｏｎｖｅｒｔ）のために送受信機１８１２はオシレーター（ｏｓｃｉｌｌａｔｏｒ）を含み得る。送受信機１８１２は一つ又は複数の送信アンテナを含み得る。
【０２８３】
受信装置１８２０の信号処理過程は、送信装置１８１０の信号処理過程の逆で構成され得る。少なくとも一つのプロセッサ１８２１の制御下で、受信装置１８２０の送受信機１８２２は送信装置１８１０によって送信された無線信号を受信し得る。前記送受信機１８２２は、一つ又は複数個の受信アンテナを含み得る。前記送受信機１８２２は、受信アンテナを介して受信された信号のそれぞれを周波数ダウンコンバートして（ｆｒｅｑｕｅｎｃｙ  ｄｏｗｎ−ｃｏｎｖｅｒｔ）基底帯域信号に復元し得る。送受信機１８２２は、周波数ダウンコンバートのためにオシレーターを含み得る。前記少なくとも一つのプロセッサ１８２１は、受信アンテナを介して受信された無線信号に対する複号  （ｄｅｃｏｄｉｎｇ）及び復調（ｄｅｍｏｄｕｌａｔｉｏｎ）を行い、送信装置１８１０が元々送信しようとしたデータを復元し得る。
【０２８４】
送受信機１８１２、１８２２は、一つ又は複数個のアンテナを備え得る。アンテナは、プロセッサ１８１１、１８２１の制御下で、本開示の一つの具現によって、送受信機１８１２、１８２２により処理された信号を外部へ送信するか、外部から無線信号を受信して送受信機１８１２、１８２２へ伝達する機能を行うことができる。アンテナはアンテナポートと称してもよい。各アンテナは、一つの物理アンテナに該当するか、一つよりも多い物理アンテナ要素（ｅｌｅｍｅｎｔ）の組み合わせによって構成され（ｃｏｎｆｉｇｕｒｅｄ）得る。各アンテナから送信された信号は、受信装置１８２０によってこれ以上分解できない。該当アンテナに対応して送信された参照信号（ｒｅｆｅｒｅｎｃｅ  ｓｉｇｎａｌ、ＲＳ）は受信装置１８２０の観点から見たアンテナを定義し、チャネルが一つの物理アンテナからの単一（ｓｉｎｇｌｅ）無線チャネルなのか、又は前記アンテナを含む複数の物理アンテナ要素（ｅｌｅｍｅｎｔ）からの合成（ｃｏｍｐｏｓｉｔｅ）チャネルなのかに関係なく、前記受信装置１８２０にとって前記アンテナに対するチャネル推定を可能にすることができる。即ち、アンテナは前記アンテナ上のシンボルを伝達するチャネルが前記同じアンテナ上の異なるシンボルが伝達される前記チャネルから導出されることができるように定義され得る。複数のアンテナを利用してデータを送受信する多重入出力（Ｍｕｌｔｉ−Ｉｎｐｕｔ  Ｍｕｌｔｉ−Ｏｕｔｐｕｔ、ＭＩＭＯ）機能を支援するトランシーバーの場合には、２個以上のアンテナと連結され得る。
【０２８５】
図２０は、本開示の一部具現による図１９の送信装置１８１０のような送信装置内の信号処理モジュール構造の一例を示す。ここで、信号処理は、図１９のプロセッサ１８１１、１８２１のような基地局／端末のプロセッサで行われ得る。
【０２８６】
図２０の例を参照すると、端末又は基地局内の送信装置は、スクランブラー３０１、モジュレーター３０２、レイヤーマッパー３０３、アンテナポートマッパー３０４、資源ブロックマッパー３０５、信号生成器３０６を含み得る。
【０２８７】
送信装置は、一つ以上のコードワード（ｃｏｄｅｗｏｒｄ）を送信し得る。各コードワード内符号化されたビット（ｃｏｄｅｄ  ｂｉｔｓ）は、それぞれスクランブラー３０１によってスクランブリングされ、物理チャネル上で送信される。コードワードはデータ列と称されることもあり、ＭＡＣ層が提供するデータブロックである転送ブロックと等価であり得る。
【０２８８】
スクランブルされたビットは、モジュレーター３０２によって複素変調シンボル（Ｃｏｍｐｌｅｘ−ｖａｌｕｅｄ  ｍｏｄｕｌａｔｉｏｎ  ｓｙｍｂｏｌｓ）に変調される。モジュレーター３０２は、前記スクランブルされたビットを変調方式に応じて変調し、信号配列（ｓｉｇｎａｌ  ｃｏｎｓｔｅｌｌａｔｉｏｎ）上の位置を表現する複素変調シンボルで配置し得る。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）又はｍ−ＱＡＭ（ｍ−Ｑｕａｄｒａｔｕｒｅ  Ａｍｐｌｉｔｕｄｅ  Ｍｏｄｕｌａｔｉｏｎ）等が前記符号化されたデータの変調に利用され得る。モジュレーターは、モジュレーションマッパー（ｍｏｄｕｌａｔｉｏｎ  ｍａｐｐｅｒ）と称され得る。
【０２８９】
前記複素変調シンボルは、レイヤーマッパー３０３によって一つ以上の送信レイヤーにマッピングされ得る。各レイヤー上の複素変調シンボルは、アンテナポート上での送信のために、アンテナポートのマッパー３０４によってマッピングされ得る。
【０２９０】
資源ブロックマッパー３０５は、各アンテナポートに対する複素変調シンボルを送信のために割り当てられた仮想資源ブロック（Ｖｉｒｔｕａｌ  Ｒｅｓｏｕｒｃｅ  Ｂｌｏｃｋ）内の適切な資源要素にマッピングし得る。資源ブロックマッパーは、前記仮想資源ブロックを適切なマッピング技法（ｍａｐｐｉｎｇ  ｓｃｈｅｍｅ）に応じて物理資源ブロック（Ｐｈｙｓｉｃａｌ  Ｒｅｓｏｕｒｃｅ  Ｂｌｏｃｋ）にマッピングし得る。前記資源ブロックマッパー３０５は、前記各アンテナポートに対する複数変調シンボルを適切な副搬送波に割り当て、ユーザーによって多重化できる。
【０２９１】
信号生成器３０６は、前記各アンテナポートに対する複素変調シンボル、即ち、アンテナの特定シンボルを特定の変調方式、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調し、複素時間ドメイン（ｃｏｍｐｌｅｘ−ｖａｌｕｅｄ  ｔｉｍｅ  ｄｏｍａｉｎ）ＯＦＤＭシンボルの信号を生成できる。信号生成器は、アンテナの特定シンボルに対して、ＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴが行われた時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップコンバートなどを経て、各送信アンテナを介して受信装置へ送信される。信号生成器は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップコンバータ（ｆｒｅｑｕｅｎｃｙ  ｕｐｌｉｎｋ  ｃｏｎｖｅｒｔｅｒ）等を含み得る。
【０２９２】
図２１は、本開示の一部具現による図１９の送信装置１８１０のような送信装置内の信号処理モジュール構造の別の例を示す。ここで、信号処理は、図１９のプロセッサ１８１１、１８２１等端末／基地局のプロセッサで行われ得る。
【０２９３】
図２１を参照すると、端末又は基地局内の送信装置は、スクランブラー４０１、モジュレーター４０２、レイヤーマッパー４０３、プリコーダ４０４、資源ブロックマッパー４０５、信号生成器４０６を含み得る。
【０２９４】
送信装置は、一つのコードワードに対して、コードワード内符号化されたビット（ｃｏｄｅｄ  ｂｉｔｓ）をスクランブラー４０１によってスクランブリングした後、物理チャネルを介して送信し得る。
【０２９５】
スクランブルされたビットは、モジュレーター４０２によって複素変調シンボルに変調される。前記モジュレーターは、前記スクランブルされたビットを既に決定された変調方式によって変調し、信号配列（ｓｉｇｎａｌ  ｃｏｎｓｔｅｌｌａｔｉｏｎ）上の位置を表現する複素変調シンボルで配置し得る。変調方式（ｍｏｄｕｌａｔｉｏｎ  ｓｃｈｅｍｅ）には制限がなく、  ｐｉ／２−ＢＰＳＫ（ｐｉ／２−Ｂｉｎａｒｙ  Ｐｈａｓｅ  Ｓｈｉｆｔ  Ｋｅｙｉｎｇ）、ｍ−ＰＳＫ（ｍ−Ｐｈａｓｅ  Ｓｈｉｆｔ  Ｋｅｙｉｎｇ）  又はｍ−ＱＡＭ（ｍ−Ｑｕａｄｒａｔｕｒｅ  Ａｍｐｌｉｔｕｄｅ  Ｍｏｄｕｌａｔｉｏｎ）等が前記符号化されたデータの変調に利用され得る。
【０２９６】
前記複素変調シンボルは、前記レイヤーマッパー４０３によって一つ以上の送信レイヤーにマッピングされ得る。
【０２９７】
各レイヤー上の複素変調シンボルは、アンテナポート上での送信のためにプリコーダ４０４によってプリコーディングされ得る。ここで、プリコーダは、複素変調シンボルに対する変換プリコーディング（ｔｒａｎｓｆｏｒｍ  ｐｒｅｃｏｄｉｎｇ）を行った以降にプリコーディングを行うこともできる。或いは、プリコーダは変換プリコーディングを行うことなく、プリコーディングを行うこともできる。プリコーダ４０４は、前記複素変調シンボルを多重送信アンテナによるＭＩＭＯ方式で処理し、アンテナの特定シンボルを出力し、前記アンテナの特定シンボルを該当資源ブロックマッパー４０５で分配できる。プリコーダ４０４の出力ｚは、レイヤーマッパー４０３の出力ｙをＮХＭのプリコーディング行列Ｗと掛けて得られる。ここで、Ｎはアンテナポートの個数、Ｍはレイヤーの個数である。
【０２９８】
資源ブロックマッパー４０５は、各アンテナポートに対する複素変調シンボルを送信のために割り当てられた仮想資源ブロック内にある適切な資源要素にマッピングする。
【０２９９】
資源ブロックマッパー４０５は、複素変調シンボルを適切な副搬送波に割り当て、ユーザーによって多重化できる。
【０３００】
信号生成器４０６は、複素変調シンボルを特定の変調方式、例えば、ＯＦＤＭ方式で変調し、複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの信号を生成することができる。信号生成器４０６は、アンテナの特定シンボルに対してＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴが行われた時間ドメインシンボルには、ＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップコンバートなどを経て、各送信アンテナを介して受信装置へ送信される。信号生成器４０６は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップコンバータ（ｆｒｅｑｕｅｎｃｙ  ｕｐｌｉｎｋ  ｃｏｎｖｅｒｔｅｒ）等を含み得る。
【０３０１】
受信装置（例えば、図１９の受信装置１８２０）の信号処理過程は、送信機の信号処理過程の逆で構成され得る。具体的に、図１９の例を参照すると、受信装置１８２０の少なくとも一つのプロセッサ１８２１は、外部で送受信機１８２２のアンテナポートを介して受信された無線信号に対する複号（ｄｅｃｏｄｉｎｇ）及び復調（ｄｅｍｏｄｕｌａｔｉｏｎ）を行う。前記受信装置１８２０は、複数個の多重受信アンテナを含み得、受信アンテナを介して受信された信号のそれぞれは、基底帯域信号に復元された後、多重化及びＭＩＭＯ復調化を経て送信装置１８１０が元々送信しようとしたデータ列に復元される。受信装置１８２０は、受信された信号を基底帯域信号に復元するための信号復元器、受信処理された信号を結合して多重化する多重化器、多重化された信号列を該当コードワードに復調するチャネル復調器を含み得る。前記信号復元器及び多重化器、チャネル復調器は、これらの機能を行う統合された一つのモジュール又はそれぞれの独立したモジュールで構成され得る。より具体的に、前記信号復元器は、アナログ信号をデジタル信号へ変換するＡＤＣ（ａｎａｌｏｇ−ｔｏ−ｄｉｇｉｔａｌ  ｃｏｎｖｅｒｔｅｒ）、前記デジタル信号からＣＰを除去するＣＰ除去器、ＣＰが除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、前記周波数ドメインシンボルをアンテナの特定シンボルで復元する資源要素デマッパー（ｒｅｓｏｕｒｃｅ  ｅｌｅｍｅｎｔ  ｄｅｍａｐｐｅｒ）／等化器（ｅｑｕａｌｉｚｅｒ）を含み得る。前記アンテナの特定シンボルは、多重化器によって送信レイヤーに復元され、前記送信レイヤーはチャネル復調器によって送信装置が送信しようとしたコードワードに復元される。
【０３０２】
図２２は、本開示の一部具現による無線通信装置の一例を示す。
【０３０３】
図２２の例を参照すると、無線通信装置、例えば、端末はデジタル信号プロセッサ（Ｄｉｇｉｔａｌ  Ｓｉｇｎａｌ  Ｐｒｏｃｅｓｓｏｒ；ＤＳＰ）又はマイクロプロセッサなどの少なくとも一つのプロセッサ２３１０、トランシーバー２３３５、電力管理モジュール２３０５、アンテナ２３４０、バッテリー２３５５、ディスプレイ２３１５、キーパッド２３２０、ＧＰＳ（Ｇｌｏｂａｌ  Ｐｏｓｉｔｉｏｎｉｎｇ  Ｓｙｓｔｅｍ）チップ２３６０、センサ２３６５、少なくとも一つのメモリ２３３０、ＳＩＭ（Ｓｕｂｓｃｒｉｂｅｒ  Ｉｄｅｎｔｉｆｉｃａｔｉｏｎ  Ｍｏｄｕｌｅ）カード２３２５、スピーカー２３４５、マイクロフォン２３５０のうち少なくとも一つを含み得る。前記アンテナ及びプロセッサは、複数個であり得る。
【０３０４】
少なくとも一つのプロセッサ２３１０は、本開示で説明した機能、手続、方法を具現し得る。図２２の少なくとも一つのプロセッサ２３１０は、例えば、図１９のプロセッサ１８１１、１８２１であり得る。
【０３０５】
少なくとも一つのメモリ２３３０は少なくとも一つのプロセッサ２３１０と連結され、プロセッサの動作に関する情報を格納する。メモリは、プロセッサの内部または外部に位置してもよく、有線連結または無線連結のような様々な技術を介してプロセッサと連結されてもよい。図２２の少なくとも一つのメモリ２３３０は、例えば、図１９のメモリ１８１３、１８２３であり得る。
【０３０６】
ユーザーは、キーパッド２３２０のボタンを押すか、マイクロフォン２３５０を利用して音を活性化させるなど多様な技術を利用して電話番号のような多様な種類の情報を入力することができる。少なくとも一つのプロセッサ２３１０は、ユーザーの情報を受信してプロセシングし、入力された電話番号に電話をかけるなど、適切な機能を行うことができる。一部シナリオでは、データが適切な機能を行うために、ＳＩＭカード２３２５又は少なくとも一つのメモリ２３３０から検索されることができる。一部シナリオでは、少なくとも一つのプロセッサ２３１０は、ユーザーの便宜のために、ディスプレイ２３１５に多様な種類の情報とデータを表示することができる。
【０３０７】
トランシーバー２３３５は、少なくとも一つのプロセッサ２３１０と連結され、ＲＦ（Ｒａｄｉｏ  Ｆｒｅｑｕｅｎｃｙ）信号のような無線信号を送信及び／又は受信する。少なくとも一つのプロセッサ２３１０は、通信を開始するか、音声通信データなど多様な種類の情報又はデータを含む無線信号を送信するためにトランシーバー２３３５を制御することができる。トランシーバー２３３５は、無線信号の送信及び受信のために送信機及び受信機を含み得る。アンテナ２３４０は、無線信号の送信及び受信を容易にすることができる。一部具現の例において、トランシーバー２３３５は、無線信号を受信すると少なくとも一つのプロセッサ２３１０による処理のために信号を基底帯域の周波数にフォワーディングして変換し得る。処理された信号は、スピーカー２３４５を介して出力されるように可聴又は読取可能な情報に変換されるなど、多様な技術によって処理され得る。図２２のトランシーバー２３３５は、例えば、図１９の送受信機１８１２、１８２２であり得る。
【０３０８】
一部具現において、図２２で、カメラ、ＵＳＢ（Ｕｎｉｖｅｒｓａｌ  Ｓｅｒｉａｌ  Ｂｕｓ）ポート等多様な構成要素が端末にさらに含まれ得る。例えば、カメラは、少なくとも一つのプロセッサ２３１０と連結され得る。
【０３０９】
図２２は、単純に端末に対する一つの具現の例であるだけであり、具現の例はこれに制限されない。例えば、端末は図２２の全ての要素を必須的に含まなければならないものではない。即ち、一部の構成要素、例えば、キーパッド２３２０、ＧＰＳ（Ｇｌｏｂａｌ  Ｐｏｓｉｔｉｏｎｉｎｇ  Ｓｙｓｔｅｍ）チップ２３６０、センサ２３６５、ＳＩＭカード２３２５等は具現されないこともあり、この場合、端末に含まれないこともある。
【図１】
0006912592.tif 000008
【図２】
0006912592.tif 000009
【図３】
0006912592.tif 000010
【図４】
0006912592.tif 000011
【図５】
0006912592.tif 000012
【図６】
0006912592.tif 000013
【図７】
0006912592.tif 000014
【図８】
0006912592.tif 000015
【図９】
0006912592.tif 000016
【図１０】
0006912592.tif 000017
【図１１】
0006912592.tif 000018
【図１２】
0006912592.tif 000019
【図１３】
0006912592.tif 000020
【図１４】
0006912592.tif 000021
【図１５】
0006912592.tif 000022
【図１６】
0006912592.tif 000023
【図１７】
0006912592.tif 000024
【図１８】
0006912592.tif 000025
【図１９】
0006912592.tif 000026
【図２０】
0006912592.tif 000027
【図２１】
0006912592.tif 000028
【図２２】
0006912592.tif 000029